(57)【特許請求の範囲】
【請求項１】
複数のコンテンツを表示画面に表示させる処理を行う情報処理装置において、
ユーザの操作に応じた要求情報に基づいて、前記表示画面を隙間なく構成する複数の分割画面にそれぞれ表示される複数のコンテンツの提示優先度を算出する優先度算出手段と、
前記優先度算出手段により算出された前記複数のコンテンツの提示優先度に応じて、前記複数の分割画面のサイズをそれぞれ設定する提示情報設定手段と、
前記提示情報設定手段によりサイズが設定された分割画面に応じて、前記分割画面に表示されるコンテンツの映像データを調整する映像調整手段と、
前記映像調整手段により調整された複数のコンテンツの映像データを重畳して、前記表示画面に対応する映像データを出力する映像重畳手段と、
前記提示設定手段によりサイズが設定された分割画面の位置から、前記分割画面に表示するコンテンツの音声が聞こえるように、前記分割画面に表示するコンテンツの音声データの調整を行う音声調整手段と
を備える情報処理装置。
【請求項２】
前記提示情報設定手段により設定されたサイズが変更された場合、変更前のサイズの分割画面の位置から、変更後のサイズの分割画面の位置までに移動する間の分割画面の枠の一方の端部は、移動する方向とは逆方向になびくように、他方の端部より遅れて、前記変更後のサイズの分割画面の位置に移動する
請求項１に記載の情報処理装置。
【請求項３】
前記提示設定手段は、さらに、ユーザに対して、前記分割画面に表示するコンテンツの内容を特定させるための特定情報を設定し、
前記映像調整手段は、さらに、前記提示設定手段により設定された特定情報に対応する映像データを、前記コンテンツの映像データに重畳する
請求項１に記載の情報処理装置。
【請求項４】
前記提示情報設定手段は、前記優先度算出手段により算出された前記複数のコンテンツの提示優先度に応じて、前記複数の分割画面のサイズをそれぞれ一意に設定するための値を変更するようにして、前記複数の分割画面のサイズをそれぞれ設定する
請求項１に記載の情報処理装置。
【請求項５】
前記優先度算出手段は、前記複数のコンテンツが有するメタデータに基づいても、前記複数のコンテンツの提示優先度を算出する
請求項１に記載の情報処理装置。
【請求項６】
ネットワークを介して、相互に通信を行う他の情報処理装置から、通信相手のコンテンツを受信するコンテンツ受信手段をさらに備え、
前記複数のコンテンツには、前記コンテンツ受信手段により受信された通信相手のコンテンツが含まれ、
前記メタデータには、前記通信相手のコンテンツのメタデータとして、前記通信相手の操作に基づく要求情報が含まれる
請求項５に記載の情報処理装置。
【請求項７】
放送信号を受信する信号受信手段をさらに備え、
前記複数のコンテンツには、前記信号受信手段により受信された放送信号に対応するコンテンツが含まれる
請求項１に記載の情報処理装置。
【請求項８】
ネットワークに接続される情報提供装置から、コンテンツを取得するコンテンツ取得手段をさらに備え、
前記複数のコンテンツには、前記コンテンツ取得手段により取得されたコンテンツが含まれる
請求項１に記載の情報処理装置。
【請求項９】
複数のコンテンツを表示画面に表示させる処理を行う情報処理装置の情報処理方法において、
ユーザの操作に応じた要求情報に基づいて、前記表示画面を隙間なく構成する複数の分割画面にそれぞれ表示される複数のコンテンツの提示優先度を算出する優先度算出ステップと、
前記優先度算出ステップの処理により算出された前記複数のコンテンツの提示優先度に応じて、前記複数の分割画面のサイズをそれぞれ設定する提示情報設定ステップと、
前記提示情報設定ステップの処理によりサイズが設定された分割画面に応じて、前記分割画面に表示されるコンテンツの映像データを調整する映像調整ステップと、
前記映像調整ステップの処理により調整された複数のコンテンツの映像データを重畳して、前記表示画面に対応する映像データを出力する映像重畳ステップと、
前記提示設定ステップの処理によりサイズが設定された分割画面の位置から、前記分割画面に表示するコンテンツの音声が聞こえるように、前記分割画面に表示するコンテンツの音声データの調整を行う音声調整ステップと
を含む情報処理方法。
【請求項１０】
複数のコンテンツを表示画面に表示させる処理をコンピュータに行わせるプログラムであって、
ユーザの操作に応じた要求情報に基づいて、前記表示画面を隙間なく構成する複数の分割画面にそれぞれ表示される複数のコンテンツの提示優先度を算出する優先度算出ステップと、
前記優先度算出ステップの処理により算出された前記複数のコンテンツの提示優先度に応じて、前記複数の分割画面のサイズをそれぞれ設定する提示情報設定ステップと、
前記提示情報設定ステップの処理によりサイズが設定された分割画面に応じて、前記分割画面に表示されるコンテンツの映像データを調整する映像調整ステップと、
前記映像調整ステップの処理により調整された複数のコンテンツの映像データを重畳して、前記表示画面に対応する映像データを出力する映像重畳ステップと、
前記提示設定ステップの処理によりサイズが設定された分割画面の位置から、前記分割画面に表示するコンテンツの音声が聞こえるように、前記分割画面に表示するコンテンツの音声データの調整を行う音声調整ステップと
を含む処理をコンピュータに行わせるプログラム。
【発明の詳細な説明】
【技術分野】
【０００１】
本発明は、情報処理装置および方法、並びにプログラムに関し、特に、複数のコンテンツを表示画面を構成する複数の分割画面にそれぞれ表示する際に、表示画面のすべての有効表示領域を分割して構成される複数の分割画面のサイズを、コンテンツの提示優先度に応じて変えて表示することで、ユーザに、見やすく、快適な表示を提供することができるようにした情報処理装置および方法、並びにプログラムに関する。
【背景技術】
【０００２】
従来から、テレビジョン受像機において、１つのコンテンツしか表示できなかった場合には、所望のチャンネルのコンテンツを確認する際に、全チャンネルを一巡させなければならず、それが即時性もないことから、チャンネル操作中に各チャンネルのコンテンツが変化してしまうことがあった。
【０００３】
これに対して、ユーザに、所望のチャンネルのコンテンツを効率よく確認させるため、複数のチャンネルのコンテンツを、例えば、２画面分割表示、４画面分割表示、または、図１に示される複数画面分割表示など、画面を定型で分割表示するようにしたテレビジョン受像機が存在する。
【０００４】
図１の例においては、定型の複数画面分割表示の例として、表示画面１乃至４が示されている。
【０００５】
表示画面１は、表示画面１を９に等分したうちの、それぞれ１つ分のサイズからなる画面１−１乃至１−９で構成されている。表示画面２は、表示画面２を１６に等分したうちの、それぞれ１つ分のサイズからなる画面２−１乃至２−１６で構成されている。表示画面３は、表示画面３を９に等分したうちの４つ分のサイズからなる主画面３−１と、それぞれ１つ分のサイズからなる副画面３−２乃至３−６で構成されている。表示画面４は、表示画面４を１６に等分したうちの４つ分のサイズからなる主画面４−１と、主画面４−１を取り囲むように配置される、それぞれ１つ分のサイズからなる副画面４−２乃至４−１３で構成されている。
【０００６】
すなわち、９分割や１６分割など、等分割された表示画面１および２においては、例えば、表示画面３および４のように、等分割された複数の分割画面を組み合わせることによって、例えば、任意のチャンネルのコンテンツを強調するようにした並列表示を行っていた。
【０００７】
また、複数画面分割表示の他の例としては、テレビジョン会議システムや、複数の通信相手とのビデオチャットを行う通信装置などにおいては、図２に示されるように、通信相手の映像を、サイズや配置方法が使用用途に応じて予め設定されている各分割画面に表示するようにしたものも存在する（非特許文献１参照）。
【０００８】
図２の例においては、通信相手の映像が認識しやすいようなサイズおよび配置で構成される複数画面分割表示の例として、表示画面１１乃至１４が示されている。
【０００９】
表示画面１１は、中央に配置される中サイズの画面１１−１と、画面１１−１の下部に３つ並んで配置される小サイズの画面１１−２乃至１１−４で構成されている。表示画面１２は、３面鏡のように配置された中サイズの画面１２−１乃至１２−３と、画面１２−１乃至１２−３の下部中央に配置される小サイズの画面１２−４で構成されている。
【００１０】
表示画面１３は、中央に配置される中サイズの画面１３−１と、画面１３−１の左右に３つずつ縦に並んで配置される画面１３−２乃至１３−７で構成されている。表示画面１４は、画面全体に表示される画面１４−１と、画面１４−１上の左右の端部に重畳して配置される小サイズの画面１４−２乃至１４−７で構成されている。
【００１１】
すなわち、これらの表示画面１１乃至１４内に構成される画面は、使用用途に応じてサイズや配置に予め設定されている。
【００１２】
【非特許文献１】「iChat AV」，月刊マックパワー（MAC POWER），株式会社アスキー，平成１７年６月１日発行，６月号，p.８４
【発明の開示】
【発明が解決しようとする課題】
【００１３】
以上のように、従来、テレビジョン受像機や通信装置などにおいては、複数チャンネルのコンテンツを一度に表示させる方法は存在した。
【００１４】
しかしながら、図１の表示画面１乃至４においては、各チャンネルのコンテンツを表示する分割画面が定型のパターンで分割されているため、チャンネル数が、任意に変動した場合や定型の分割パターンに当てはまらない場合に、最適な表示が行えないことがあった。
【００１５】
例えば、複数のチャンネルのうちの所定のチャンネルに対して、ユーザが強い表示要求を求めたとしても、各分割画面の比率が固定されているため、複数のチャンネル表示においては、様々なユーザの表示要求に対応した表示、すなわち、ユーザに対して、見やすい、快適な表示を提供することが困難であった。
【００１６】
また、図２の表示画面１１乃至１４においては、使用用途に応じて調整された各分割画面のサイズや配置で予め設定されている。したがって、これらの場合においても、チャンネル数が任意の数になったときの対応や各チャンネルに対する個別のサイズ変更が困難であった。したがって、ユーザに対して、見やすい、快適な表示を提供することが困難であった。
【００１７】
さらに、図２の表示画面１２の場合、３面鏡のように配置することで奥行き感を出すようにしたがゆえに、表示画面１２の有効表示領域内に何も表示されない無駄な領域が生じてしまっていた。
【００１８】
本発明はこのような状況に鑑みてなされたものであり、複数のコンテンツを表示する際に、有効表示領域を効率的に用いて、コンテンツ毎の提示優先度に応じた表示を行うことで、ユーザに、見やすく、快適な表示を提供することができるようにすることを目的とする。
【課題を解決するための手段】
【００１９】
本発明の一側面の情報処理装置は、ユーザの操作に応じた要求情報に基づいて、前記表示画面を隙間なく構成する複数の分割画面にそれぞれ表示される複数のコンテンツの提示優先度を算出する優先度算出手段と、前記優先度算出手段により算出された前記複数のコンテンツの提示優先度に応じて、前記複数の分割画面のサイズをそれぞれ設定する提示情報設定手段と、前記提示情報設定手段によりサイズが設定された分割画面に応じて、前記分割画面に表示されるコンテンツの映像データを調整する映像調整手段と、前記映像調整手段により調整された複数のコンテンツの映像データを重畳して、前記表示画面に対応する映像データを出力する映像重畳手段と、前記提示設定手段によりサイズが設定された分割画面の位置から、前記分割画面に表示するコンテンツの音声が聞こえるように、前記分割画面に表示するコンテンツの音声データの調整を行う音声調整手段とを備える情報処理装置である。
【００２０】
本発明の一側面の情報処理装置では、前記提示情報設定手段により設定されたサイズが変更された場合、変更前のサイズの分割画面の位置から、変更後のサイズの分割画面の位置までに移動する間の分割画面の枠の一方の端部は、移動する方向とは逆方向になびくように、他方の端部より遅れて、前記変更後のサイズの分割画面の位置に移動することができる。
【００２１】
本発明の一側面の情報処理装置では、前記提示設定手段は、さらに、ユーザに対して、前記分割画面に表示するコンテンツの内容を特定させるための特定情報を設定し、前記映像調整手段は、さらに、前記提示設定手段により設定された特定情報に対応する映像データを、前記コンテンツの映像データに重畳することができる。
【００２２】
本発明の一側面の情報処理装置では、前記提示情報設定手段は、前記優先度算出手段により算出された前記複数のコンテンツの提示優先度に応じて、前記複数の分割画面のサイズをそれぞれ一意に設定するための値を変更するようにして、前記複数の分割画面のサイズをそれぞれ設定することができる。
【００２３】
本発明の一側面の情報処理装置では、前記優先度算出手段は、前記複数のコンテンツが有するメタデータに基づいても、前記複数のコンテンツの提示優先度を算出することができる。
【００２４】
本発明の一側面の情報処理装置は、ネットワークを介して、相互に通信を行う他の情報処理装置から、通信相手のコンテンツを受信するコンテンツ受信手段をさらに備えることができる。この場合、前記複数のコンテンツには、前記コンテンツ受信手段により受信された通信相手のコンテンツが含まれ、前記メタデータには、前記通信相手のコンテンツのメタデータとして、前記通信相手の操作に基づく要求情報が含まれる。
【００２５】
本発明の一側面の情報処理装置は、放送信号を受信する信号受信手段をさらに備えることができる。この場合、前記複数のコンテンツには、前記信号受信手段により受信された放送信号に対応するコンテンツが含まれる。
【００２６】
本発明の一側面の情報処理装置は、ネットワークに接続される情報提供装置から、コンテンツを取得するコンテンツ取得手段をさらに備えることができる。この場合、前記複数のコンテンツには、前記コンテンツ取得手段により取得されたコンテンツが含まれる。
【００２７】
本発明の一側面の情報処理方法、またはプログラムは、ユーザの操作に応じた要求情報に基づいて、前記表示画面を隙間なく構成する複数の分割画面にそれぞれ表示される複数のコンテンツの提示優先度を算出する優先度算出ステップと、前記優先度算出ステップの処理により算出された前記複数のコンテンツの提示優先度に応じて、前記複数の分割画面のサイズをそれぞれ設定する提示情報設定ステップと、前記提示情報設定ステップの処理によりサイズが設定された分割画面に応じて、前記分割画面に表示されるコンテンツの映像データを調整する映像調整ステップと、前記映像調整ステップの処理により調整された複数のコンテンツの映像データを重畳して、前記表示画面に対応する映像データを出力する映像重畳ステップと、前記提示設定ステップの処理によりサイズが設定された分割画面の位置から、前記分割画面に表示するコンテンツの音声が聞こえるように、前記分割画面に表示するコンテンツの音声データの調整を行う音声調整ステップとを含む情報処理方法、または処理をコンピュータに行わせるプログラムである。
【００２８】
本発明の一側面においては、ユーザの操作に応じた要求情報に基づいて、前記表示画面を隙間なく構成する複数の分割画面にそれぞれ表示される複数のコンテンツの提示優先度が算出され、算出された前記複数のコンテンツの提示優先度に応じて、前記複数の分割画面のサイズがそれぞれ設定される。そして、サイズが設定された分割画面に応じて、前記分割画面に表示されるコンテンツの映像データが調整され、調整された複数のコンテンツの映像データが重畳されて、前記表示画面に対応する映像データが出力され、サイズが設定された分割画面の位置から、前記分割画面に表示するコンテンツの音声が聞こえるように、前記分割画面に表示するコンテンツの音声データの調整が行われる。
【００２９】
ネットワークとは、少なくとも２つの装置が接続され、ある装置から、他の装置に対して、情報の伝達をできるようにした仕組みをいう。ネットワークを介して通信する装置は、独立した装置どうしであってもよいし、１つの装置を構成している内部ブロックどうしであってもよい。
【００３０】
また、通信とは、無線通信および有線通信は勿論、無線通信と有線通信とが混在した通信、すなわち、ある区間では無線通信が行われ、他の区間では有線通信が行われるようなものであってもよい。さらに、ある装置から他の装置への通信が有線通信で行われ、他の装置からある装置への通信が無線通信で行われるようなものであってもよい。
【発明の効果】
【００３１】
本発明の一側面によれば、有効表示領域を効率的に用いて、ユーザに、見やすく、快適な表示を提供することができる。
【発明を実施するための最良の形態】
【００３２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３３】
本発明の一側面の情報処理装置は、複数のコンテンツを表示画面（例えば、図４の表示画面２０１）に表示させる処理を行う情報処理装置（例えば、コンテンツ提示制御装置３１−１）において、ユーザの操作に応じた要求情報に基づいて、ユーザの操作に応じた要求情報に基づいて、前記表示画面を隙間なく構成する複数の分割画面（例えば、図７の分割画面２１１−１乃至２１１−Ｎ）にそれぞれ表示される複数のコンテンツの提示優先度を算出する優先度算出手段（例えば、図４の提示優先度算出部１０２）と、前記優先度算出手段により算出された前記複数のコンテンツの提示優先度に応じて、前記複数の分割画面のサイズをそれぞれ設定する提示情報設定手段（例えば、図４の提示バランス設定部１０３）と、前記提示情報設定手段によりサイズが設定された分割画面に応じて、前記分割画面に表示されるコンテンツの映像データを調整する映像調整手段（例えば、図５の映像調整部１２１−１）と、前記映像調整手段により調整された複数のコンテンツの映像データを重畳して、前記表示画面に対応する映像データを出力する映像重畳手段（例えば、図３の映像ミキサ部５６）と、前記提示設定手段によりサイズが設定された分割画面の位置から、前記分割画面に表示するコンテンツの音声が聞こえるように、前記分割画面に表示するコンテンツの音声データの調整を行う音声調整手段（例えば、図５の音声調整部１２２−１）とを備える情報処理装置である。
【００３４】
本発明の一側面の情報処理装置では、前記提示情報設定手段により設定されたサイズが変更された場合、変更前のサイズの分割画面（例えば、図９の表示状態ＳＳ１の分割画面２１１−３）の位置から、変更後のサイズの分割画面（例えば、図９の表示状態ＳＳ３の分割画面２１１−３）の位置までに移動する間の分割画面（例えば、図９の表示状態ＳＳ２の分割画面２１１−３）の枠の一方の端部は、移動する方向とは逆方向になびくように、他方の端部より遅れて、前記変更後のサイズの分割画面の位置に移動する
【００３５】
本発明の一側面の情報処理装置では、前記提示設定手段は、さらに、ユーザに対して、前記分割画面に表示するコンテンツの内容を特定させるための特定情報を設定し、前記映像調整手段は、さらに、前記提示設定手段により設定された特定情報に対応する映像データ（例えば、図７のＯＳＤ映像ｔ１の映像データ）を、前記コンテンツの映像データに重畳することができる。
【００３７】
本発明の一側面の情報処理装置は、ネットワーク（例えば、図３のネットワーク３２）を介して、相互に通信を行う他の情報処理装置（例えば、コンテンツ提示制御装置３１−２）から、通信相手のコンテンツを受信するコンテンツ受信手段（例えば、図３のコミュニケーション部７３）をさらに備えることができる。この場合、前記複数のコンテンツには、前記コンテンツ受信手段により受信された通信相手のコンテンツが含まれ、前記メタデータには、前記通信相手のコンテンツのメタデータとして、前記通信相手の操作に基づく要求情報が含まれる。
【００３８】
本発明の一側面の情報処理装置は、放送信号を受信する信号受信手段（例えば、図３のチューナ５１）をさらに備えることができる。この場合、前記複数のコンテンツには、前記信号受信手段により受信された放送信号に対応するコンテンツが含まれる。
【００３９】
本発明の一側面の情報処理装置は、ネットワーク（例えば、図３のネットワーク３２）に接続される情報提供装置（例えば、図３の提供サーバ３３）から、コンテンツを取得するコンテンツ取得手段（例えば、コンテンツ取得部７１）をさらに備えることができる。この場合、前記複数のコンテンツには、前記コンテンツ取得手段により取得されたコンテンツが含まれる。
【００４０】
本発明の一側面の情報処理方法、またはプログラムは、複数のコンテンツを表示画面に表示させる処理を行う情報処理装置の情報処理方法、または複数のコンテンツを表示画面に表示させる処理をコンピュータに行わせるプログラムにおいて、ユーザの操作に応じた要求情報に基づいて、前記表示画面を隙間なく構成する複数の分割画面にそれぞれ表示される複数のコンテンツの提示優先度を算出する優先度算出ステップ（例えば、図１５のステップＳ１５）と、前記優先度算出ステップの処理により算出された前記複数のコンテンツの提示優先度に応じて、前記複数の分割画面のサイズをそれぞれ設定する提示情報設定ステップ（例えば、図１５のステップＳ１８）と、前記提示情報設定ステップの処理によりサイズが設定された分割画面に応じて、前記分割画面に表示されるコンテンツの映像データを調整する映像調整ステップ（例えば、図１７のステップＳ３１乃至Ｓ３４）と、前記映像調整ステップの処理により調整された複数のコンテンツの映像データを重畳して、前記表示画面に対応する映像データを出力する映像重畳ステップ（例えば、図１７のステップＳ３５）と、前記提示設定ステップの処理によりサイズが設定された分割画面の位置から、前記分割画面に表示するコンテンツの音声が聞こえるように、前記分割画面に表示するコンテンツの音声データの調整を行う音声調整ステップ（例えば、図１８のステップＳ５３）とを含む情報処理方法、または処理をコンピュータに行わせるプログラムである。
【００４１】
以下、図を参照して本発明の実施の形態について説明する。
【００４２】
図３は、本発明を適用した情報処理システムの構成例を示している。
【００４３】
図３の例において、ユーザＡが操作するコンテンツ提示制御装置３１−１、およびユーザＢが操作するコンテンツ提示制御装置３１−２は、インターネットに代表されるネットワーク３２に接続されている。
【００４４】
なお、以下、コンテンツ提示制御装置３１−１および３１−２を個々に区別する必要がない場合、まとめてコンテンツ提示制御装置３１とも称する。また、この例においては、コンテンツ提示制御装置３１が２台のみ示されているが、ネットワーク３２には、任意の台数のコンテンツ提示制御装置３１が接続される。
【００４５】
このネットワーク３２は、有線に限らず、無線で構成されてもよい。ネットワーク３２には、また、アクセスしてきたコンテンツ提示制御装置３１に対して、コンテンツの映像（静止画像、動画像）データ、音声データなどを提供する配信サーバ３３が接続されている。この配信サーバ３３も、任意の台数、ネットワーク３２に接続される。なお、以下、映像データおよび音声データをまとめてコンテンツデータとも称する。
【００４６】
さらに、この情報処理システムには、デジタルの地上波によってコンテンツの放送を行う地上波放送局３４、およびＢＳ(Broadcasting Satellite)デジタル放送（通信）衛星３５を介して、ＢＳデジタル衛星放送波によってコンテンツの放送を行う図示せぬ衛星放送局などが構成されている。
【００４７】
コンテンツ提示制御装置３１−１は、ネットワーク３２を介して、通信相手のコンテンツ提示制御装置３１（図３の例の場合、コンテンツ提示制御装置３１−２）や配信サーバ３３からコンテンツを受信したり、地上波放送局３４やＢＳデジタル放送衛星３５から受信した放送信号に含まれるコンテンツを取得したり、あるいは、蓄積されるコンテンツを読み出し、それらのコンテンツを各チャンネルとして、表示画面のすべての有効表示領域を分割して構成される複数の表示領域（以下、分割画面と称する）にそれぞれ表示させる。すなわち、表示画面のすべての有効表示領域は、複数の分割画面で隙間なく構成されている。
【００４８】
このとき、コンテンツ提示制御装置３１−１は、複数のチャンネルの提示優先度に応じて、各チャンネルのコンテンツを表示する分割画面のサイズを変更して、変更したサイズの分割画面に、対応するコンテンツをそれぞれ表示させる。
【００４９】
ここで、図３の例におけるチャンネルは、表示対象のコンテンツを表しており、例えば、ネットワーク３２を介して配信サーバ３３から受信したコンテンツ（以下、配信コンテンツと称する）、地上波放送局３４やＢＳデジタル放送（通信）衛星３５から受信した放送信号に含まれるコンテンツ（以下、放送コンテンツと称する）、ネットワーク３２を介して、通信相手のコンテンツ提示制御装置３１−２から受信されるコンテンツ（以下、通信相手のコンテンツと称する）、または、蓄積される静止画、動画、ゲームなどのコンテンツ（以下、蓄積コンテンツと称する）、映像音声入力部６４などから入力されるリアルタイムコンテンツなどから、ユーザの操作に応じて選択される。
【００５０】
なお、ネットワーク３２に接続される図示せぬ他の装置（例えば、録画記録装置など）から取得されるコンテンツや、図示されないドライブに装着されるパッケージメディア（記録媒体）に記録されている静止画像、動画像、ゲームなどのコンテンツも選択可能である。
【００５１】
コンテンツ提示制御装置３１−１は、チューナ５１、チャンネルデータ供給部５３、提示バランス制御部５４、提示バランス調整部５５、映像ミキサ部５６、音声ミキサ部５７、入出力インタフェース５８、ユーザ情報入力部６１、映像出力部６２、音声出力部６３、並びに映像音声入力部６４により構成されている。
【００５２】
チャンネルデータ供給部５３、提示バランス制御部５４、映像ミキサ部５６、および音声ミキサ部５７は、入出力インタフェース５８を介して、入出力インタフェース５８に適宜装着されるユーザ情報入力部６１、映像出力部６２、音声出力部６３、および映像音声入力部６４と接続されている。
【００５３】
チューナ５１は、アンテナ５２を介して、地上波放送局３４またはＢＳデジタル放送衛星３５からの放送信号を受信し、放送信号から選局した放送信号をチャンネルデータ供給部５３のコンテンツ取得部７１に出力する。なお、チューナ５１は、複数のチューナで構成されており、複数局の放送信号を同時に受信することも可能である。また、チューナ５１は、デジタルの地上波やＢＳデジタル放送波に限らず、アナログの地上波やＣＳ(Communication Satellite)デジタル放送波を受信するように構成されてもよい。
【００５４】
チャンネルデータ供給部５３は、コンテンツ取得部７１、コンテンツ記憶部７２、およびコミュニケーション部７３により構成されており、提示バランス制御部５４の制御のもと、ユーザが所望する複数のコンテンツのコンテンツデータ（映像データ、音声データ）を、所定のチャンネルのデータとして、提示バランス調整部５５にそれぞれ供給する。また、チャンネルデータ供給部５３は、対応するコンテンツのメタデータを、所定のチャンネルのメタデータとして、提示バランス制御部５４にそれぞれ供給する。
【００５５】
コンテンツ取得部７１は、チューナ５１からの放送信号に含まれる放送コンテンツのコンテンツデータ、および放送コンテンツの、コンテンツに関する情報であるメタデータ（例えば、ＥＰＧ(Electronic Program Guide)情報など）を取得する。また、コンテンツ取得部７１は、ネットワーク３２を介して、配信サーバ３３から、配信コンテンツのコンテンツデータおよび配信コンテンツのメタデータを取得する。
【００５６】
コンテンツ取得部７１は、取得した放送コンテンツおよび配信コンテンツのコンテンツデータを、所定のチャンネルのデータとして、提示バランス調整部５５にそれぞれ出力するとともに、取得した放送コンテンツおよび配信コンテンツに対応するメタデータを、所定のチャンネルのメタデータとして、提示バランス制御部５４にそれぞれ供給する。なお、これらのコンテンツデータおよびメタデータは、必要に応じて、コンテンツ記憶部７２に記憶される。
【００５７】
コンテンツ記憶部７２には、コンテンツ取得部７１により、放送または配信コンテンツのコンテンツデータおよびそのメタデータが記録されたり、コミュニケーション部７３により、他のコンテンツ提示制御装置３１−２から受信されたコンテンツデータおよびそのメタデータが記録されたり、または、映像音声入力部６４から入力されるユーザＡの映像や音声で構成されるコンテンツデータおよびそのメタデータなどが記録されることで、音楽、静止画、動画、ゲームなどの蓄積コンテンツのコンテンツデータおよびそのメタデータが記憶されている。
【００５８】
コンテンツ記憶部７２は、ユーザ所望の蓄積コンテンツのコンテンツデータを読み出し、所定のチャンネルのデータとして、提示バランス調整部５５に供給するとともに、そのコンテンツに対応するメタデータを読み出し、所定のチャンネルのメタデータとして、提示バランス制御部５４に供給する。
【００５９】
コミュニケーション部７３は、ネットワーク３２を介して、他のコンテンツ提示制御装置３１（例えば、コンテンツ提示制御装置３１−２）と通信を行い、他のコンテンツ提示制御装置３１からの通信相手のコンテンツのコンテンツデータおよびそのメタデータを受信し、通信相手のコンテンツデータを、所定のチャンネルのデータとして、提示バランス調整部５５に供給するとともに、そのコンテンツに対応するメタデータを、所定のチャンネルのメタデータとして、提示バランス制御部５４に供給する。
【００６０】
通信相手のコンテンツのメタデータには、例えば、ユーザＢの操作に応じてコンテンツ提示制御装置３１−２に入力される、ユーザＡのコンテンツを表示するチャンネルに対する視聴の要求度合いを表す通信相手（例えば、ユーザＢ）の要求情報も含まれる。
【００６１】
また、コミュニケーション部７３は、ネットワーク３２に接続されるコンテンツ提示制御装置３１−２に対して、映像音声入力部６４から入力されるユーザＡのコンテンツデータと、そのメタデータとして、提示バランス制御部５４からのユーザＢのコンテンツを表示するチャンネルに対するユーザ（ユーザＡ）の要求情報などを送信する。
【００６２】
なお、通信相手は、１台に限らず、コミュニケーション部７３は、ネットワーク３２に接続される複数の他のコンテンツ提示制御装置３１と通信し、複数の通信相手のコンテンツを表示することもできる。
【００６３】
提示バランス制御部５４には、ユーザ情報入力部６１から、ユーザＡの操作に基づく、チャンネルとして表示するコンテンツを選択する情報であるコンテンツ選択情報が入力される。
【００６４】
提示バランス制御部５４は、コンテンツ選択情報に基づいて、チャンネルデータ供給部５３の各部を制御し、ユーザの所望のコンテンツのコンテンツデータ（映像データ、音声データ）およびメタデータを取得させ、ユーザの所望のコンテンツのコンテンツデータを、所定のチャンネルのデータとして、提示バランス調整部５５に供給させ、ユーザの所望のコンテンツのメタデータを、所定のチャンネルのメタデータとして、提示バランス制御部５４に供給させる。
【００６５】
また、提示バランス制御部５４には、ユーザ情報入力部６１から、ユーザＡの操作に基づく、所定のチャンネルに対する視聴の要求度合いを示すユーザの要求情報が入力され、コンテンツ取得部７１、コンテンツ記憶部７２、およびコミュニケーション部７３などから、各コンテンツのメタデータが入力される。
【００６６】
提示バランス制御部５４は、ユーザＡの操作に基づくユーザの要求情報、各コンテンツのメタデータを取得し、取得したユーザの要求情報およびメタデータなどに基づいて、複数のチャンネルの提示優先度をそれぞれ算出し、算出した提示優先度に応じて、各チャンネルの分割画面のサイズ、表示画面における分割画面の位置、分割画面に表示するコンテンツの位置、透明度、倍率、対応する音声の音量、並びに音質など、提示バランス調整部５５を制御するための制御情報を設定し、設定した制御情報を提示バランス調整部５５に供給する。
【００６７】
なお、提示バランス制御部５４は、通信相手のコンテンツを表示するチャンネルに対するユーザの要求情報が入力された場合、ユーザの要求情報を、コミュニケーション部７３に供給する。
【００６８】
提示バランス調整部５５には、コンテンツ取得部７１、コンテンツ記憶部７２、およびコミュニケーション部７３などから複数のチャンネル（図３の例においては、チャンネル（ｃｈ）１乃至チャンネル（ｃｈ）Ｎ）の映像データおよび音声データが入力される。提示バランス調整部５５は、入力された複数のチャンネルの映像データおよび音声データを、提示バランス制御部５４から供給された制御情報に応じて調整し、調整した映像データを、映像ミキサ部５６に出力し、調整した音声データを、音声ミキサ部５７に出力する。
【００６９】
なお、図３の例においては、図示しないが、映像音声入力部６４から入力されるリアルタイムコンテンツの映像データおよび音声データもチャンネルのデータとして直接入力し、調整し、出力するようにしてもよい。
【００７０】
映像ミキサ部５６は、調整された複数のチャンネルの映像データを重畳し、入出力インタフェース５８を介して、複数のチャンネルの分割画面で構成される表示画面を、映像出力部６２に表示させる。音声ミキサ部５７は、調整された複数のチャンネルの音声データを合成し、少なくとも１のチャンネルの音声からなる音声を、入出力インタフェース５８を介して、音声出力部６３から出力させる。
【００７１】
ユーザ情報入力部６１は、例えば、リモートコントローラ、マウス、またはタッチパネルなどで構成され、ユーザの操作に対応する操作信号を、入出力インタフェース５８を介して、提示バランス制御部５４に供給する。
【００７２】
具体的には、ユーザは、ユーザ情報入力部６１を操作して、放送コンテンツ、配信コンテンツ、通信相手のコンテンツ、および蓄積コンテンツの中から、チャンネルとして表示するコンテンツを選択する。ユーザ情報入力部６１は、このユーザの操作に対応して、コンテンツ選択情報を提示バランス制御部５４に供給する。また、ユーザ情報入力部６１は、ユーザの操作に対応して、所定のチャンネルに対してのユーザの要求情報を提示バランス制御部５４に供給する。
【００７３】
映像出力部６２は、例えば、ＬＣＤ（Liquid Crystal Display）、やＰＤＰ（Plasma Display Panel）などの表示デバイス（ディスプレイ）で構成され、入出力インタフェース５８を介して、映像ミキサ部５６から入力された映像データに対応する表示画面（すなわち、複数のチャンネルの分割画面で構成される表示画面）を表示する。
【００７４】
音声出力部６３は、例えば、ステレオスピーカや、ヘッドフォンステレオなどで構成され、入出力インタフェース５８を介して、提示バランス調整部５５から入力されたステレオの音声データに対応する音声を出力する。
【００７５】
映像音声入力部６４は、例えば、ビデオカメラなどで構成され、ユーザＡの映像を撮像するとともに、ユーザＡの周囲の音声を集音し、撮像した映像に対応する映像データと集音した音声に対応する音声データ（すなわち、ユーザＡのコンテンツデータ）を、入出力インタフェース５８を介して、チャンネルデータ供給部５３のコンテンツ記憶部７２またはコミュニケーション部７３に出力する。
【００７６】
なお、コンテンツ提示制御装置３１−２の構成例については、コンテンツ提示制御装置３１−１の構成例と同様であるので、その説明は省略する。
【００７７】
また、図３の例のコンテンツ提示制御装置３１は、例えば、テレビジョン受像機、パーソナルコンピュータ、携帯電話機、その他のＰＤＡ(Personal Digital Assistant)機器や、ＡＶ(Audio Visual)機器や家庭用電化製品などのＣＥ（Consumer Electronics）機器などで構成することもできる。
【００７８】
図４は、図３の提示バランス制御部５４の構成例を示している。なお、図４の例において、コミュニケーション部７３は、ネットワーク３２に接続される他のコンテンツ提示制御装置３１から、通信相手のコンテンツデータおよびそのメタデータを受信するユーザコンテンツ受信部９１、および、ネットワーク３２に接続される他のコンテンツ提示制御装置３１に対して、ユーザＡのコンテンツデータおよびそのメタデータを送信するユーザコンテンツ送信部９２により構成されている。
【００７９】
提示バランス制御部５４は、情報取得部１０１、提示優先度算出部１０２、および提示バランス設定部１０３により構成される。
【００８０】
情報取得部１０１は、ユーザ情報入力部６１からのコンテンツ選択情報に基づいて、チャンネルデータ供給部５３の各部を制御し、ユーザの所望のコンテンツのコンテンツデータ（映像データ、音声データ）およびメタデータを取得させ、ユーザの所望のコンテンツのコンテンツデータを、所定のチャンネルのデータとして、提示バランス調整部５５に供給させ、ユーザの所望のコンテンツのメタデータを、所定のチャンネルのメタデータとして、情報取得部１０１に供給させる。
【００８１】
情報取得部１０１は、ユーザ情報入力部６１から入力される所定のチャンネルに対するユーザの要求情報や、各チャンネルのメタデータとして、コンテンツ取得部７１から入力される放送または配信コンテンツのメタデータ、コンテンツ記憶部７２から入力される蓄積コンテンツのメタデータ、並びに、ユーザコンテンツ受信部９１から入力される通信相手コンテンツのメタデータである通信相手の要求情報などを取得し、取得した情報を、提示優先度算出部１０２に供給する。
【００８２】
なお、情報取得部１０１は、通信相手のコンテンツを表示するチャンネルに対するユーザの要求情報が入力された場合、ユーザの要求情報を、ユーザＡのコンテンツに対応するメタデータとして、ユーザコンテンツ送信部９２に供給する。
【００８３】
提示優先度算出部１０２には、情報取得部１０１から、所定のチャンネルに対するユーザの要求情報、および各チャンネルのメタデータのうちの少なくとも１つが供給される。提示優先度算出部１０２は、情報取得部１０１から供給された要求情報およびメタデータなどに基づいて、複数のチャンネルの提示優先度を算出し、算出した提示優先度を提示バランス設定部１０３に供給する。なお、このとき、提示優先度算出部１０２は、提示優先度を、チャンネル数に応じて正規化して算出する（例えば、合計で１００％になるように算出する）。
【００８４】
具体的には、提示優先度算出部１０２には、例えば、ユーザＡの興味、嗜好などのユーザ嗜好情報、または、メタデータに含まれる単語のうち、「緊急」や「速報」など優先とする単語の情報である優先単語情報などが予め記憶されている。
【００８５】
チャンネルとして表示するコンテンツとして、放送、配信、および蓄積コンテンツのみが選択されている場合、提示優先度算出部１０２は、情報取得部１０１から供給される各チャンネル（放送、配信、および蓄積コンテンツ）のメタデータと、記憶しているユーザ嗜好情報または優先単語情報に基づいて、複数のチャンネルの提示優先度を算出する。また、チャンネルとして表示するコンテンツとして、通信相手コンテンツのみが選択されている場合、提示優先度算出部１０２は、情報取得部１０１から供給される通信相手コンテンツのメタデータである、各通信相手の要求情報に基づいて、複数のチャンネルの提示優先度を算出する。
【００８６】
また、チャンネルとして表示するコンテンツとして、放送、配信、および蓄積コンテンツ、並びに、通信相手コンテンツが選択されている場合、提示優先度算出部１０２は、情報取得部１０１から供給される通信相手の要求情報に応じて、通信相手の要求度合いが高いときには、通信相手コンテンツを表示するチャンネルの方が、放送、配信、および蓄積コンテンツを表示する各チャンネルよりも高くするように提示優先度を算出し、通信相手の要求が低いときには、通信相手コンテンツを表示するチャンネルの方が、放送、配信、および蓄積コンテンツを表示するチャンネルよりも低くなるように提示優先度を算出する。
【００８７】
なお、情報取得部１０１から所定のチャンネルに対するユーザの要求情報が供給された場合には、どの種のコンテンツがチャンネルとして表示されていたとしても、提示優先度算出部１０２は、ユーザの要求情報が対象とするチャンネルの提示優先度が、他のどのコンテンツが表示されるチャンネルよりも最大になるように、提示優先度を算出する。
【００８８】
提示バランス設定部１０３は、提示優先度算出部１０２により算出された複数のチャンネルの提示優先度に応じて、各チャンネルの分割画面のサイズ（すなわち、面積）、表示画面における分割画面の位置、分割画面に表示するコンテンツの位置、透明度、倍率、対応する音声の音量、音質など、各チャンネルの映像データおよび音声データを調整するためのチャンネル毎の制御情報を設定し、設定したチャンネル毎の制御情報を提示バランス調整部５５に供給する。
【００８９】
また、提示バランス設定部１０３は、分割画面の一部の領域に表示して、ユーザに対して、各チャンネルの内容（コンテンツ）を特定させるための特定情報も、制御情報として、提示バランス調整部５５に供給する。この特定情報は、例えば、放送番組のチャンネル番号、コンテンツ名、放送局名、または通信相手名など、ユーザが、チャンネルに表示されるコンテンツの内容を特定（把握）するための情報である。
【００９０】
図５は、図３の提示バランス調整部５５の構成例を示している。
【００９１】
図５の例においては、提示バランス調整部５５には、コンテンツ取得部７１、コンテンツ記憶部７２、およびコミュニケーション部７３のいずれかから、チャンネル（ｃｈ）１乃至チャンネル（ｃｈ）Ｎ（Ｎ≧１）の映像データおよび音声データがそれぞれ入力されている。
【００９２】
提示バランス調整部５５は、提示バランス調整部５５−１乃至５５−Ｎにより構成されており、提示バランス制御部５４（提示バランス設定部１０３）からの対応するチャンネルの制御情報に応じて、コンテンツ取得部７１、コンテンツ記憶部７２、およびコミュニケーション部７３のいずれかから入力される各チャンネルの映像データおよび音声データを調整する。
【００９３】
なお、図５の例においては、提示バランス調整部５５−４乃至５５−Ｎ−１は、提示バランス調整部５５−１乃至５５−３、および提示バランス調整部５５−Ｎと基本的に同様の構成であるため、その図示及び説明を省略する。
【００９４】
提示バランス調整部５５−１は、チャンネル１の映像データを、チャンネル１の制御情報に応じて調整し、調整した映像データを、映像ミキサ部５６に出力する映像調整部１２１−１と、チャンネル１の音声データを、チャンネル１の制御情報に応じて調整し、調整した音声データを、音声ミキサ部５７に出力する音声調整部１２２−１で構成される。
【００９５】
提示バランス調整部５５−２は、チャンネル２の映像データを、チャンネル２の制御情報に応じて調整し、調整した映像データを、映像ミキサ部５６に出力する映像調整部１２１−２と、チャンネル２の音声データを、チャンネル２の制御情報に応じて調整し、調整した音声データを、音声ミキサ部５７に出力する音声調整部１２２−２で構成される。
【００９６】
提示バランス調整部５５−３は、チャンネル３の映像データを、チャンネル３の制御情報に応じて調整し、調整した映像データを、映像ミキサ部５６に出力する映像調整部１２１−３と、チャンネル３の音声データを、チャンネル３の制御情報に応じて調整し、調整した音声データを、音声ミキサ部５７に出力する音声調整部１２２−３で構成される。
【００９７】
提示バランス調整部５５−Ｎは、チャンネルＮの映像データを、チャンネルＮの制御情報に応じて調整し、調整した映像データを、映像ミキサ部５６に出力する映像調整部１２１−Ｎと、チャンネルＮの音声データを、チャンネルＮの制御情報に応じて調整し、調整した音声データを、音声ミキサ部５７に出力する音声調整部１２２−Ｎで構成される。
【００９８】
映像ミキサ部５６は、映像調整部１２１−１乃至１２１−Ｎからの調整されたＮ個のチャンネルの映像データを重畳し、入出力インタフェース５８を介して、重畳した映像データを、映像出力部６２に出力する。これにより、映像出力部６２からは、Ｎ個のチャンネルの分割画面で構成される表示画面が表示される。
【００９９】
音声ミキサ部５７は、音声調整部１２２−１乃至１２２−Ｎからの調整されたＮ個のチャンネルの音声データを合成し、合成した音声データを、入出力インタフェース５８を介して、音声出力部６３に出力する。これにより、少なくとも１のチャンネルの音声からなる音声が、音声出力部６３から出力される。
【０１００】
なお、以下、映像調整部１２１−１乃至１２１−Ｎ、および音声調整部１２２−１乃至１２２−Ｎを個々に区別する必要がない場合、それぞれ、単に、映像調整部１２１、および音声調整部１２２と称する。
【０１０１】
図６は、図５の映像調整部１２１および音声調整部１２２の構成例を示している。
【０１０２】
図６の例においては、提示バランス制御部５４（提示バランス設定部１０３）から、対象チャンネルの分割画面のサイズ、表示画面における分割画面の位置、分割画面に表示するコンテンツの位置、透明度、倍率、特定情報などが、対象チャンネルの制御情報として、映像調整部１２１および音声調整部１２２に供給されている。
【０１０３】
映像調整部１２１は、透明度調整部１４１、サイズ調整部１４２、ＯＳＤ（On Screen Display）調整部１４３、および位置調整部１４４により構成されている。
【０１０４】
透明度調整部１４１は、コンテンツ取得部７１、コンテンツ記憶部７２、およびコミュニケーション部７３のいずれかから入力される所定のチャンネルの映像データの透明度を、提示バランス設定部１０３により設定された対応するチャンネルの制御情報（例えば、分割画面に表示するコンテンツの透明度）に応じて調整し、透明度を調整した映像データを、サイズ調整部１４２に出力する。
【０１０５】
サイズ調整部１４２は、透明度調整部１４１からの映像データのサイズを、提示バランス設定部１０３により設定された対応するチャンネルの制御情報（例えば、分割画面のサイズ、分割画面に表示するコンテンツの中央位置、倍率など）に応じて、変倍したり、マスクをかけたりして、映像データのうち、表示対象のサイズを調整し、サイズを調整した映像データを、ＯＳＤ調整部１４３に出力する。
【０１０６】
ＯＳＤ調整部１４３は、提示バランス設定部１０３により設定された対応するチャンネルの制御情報（例えば、分割画面に表示するコンテンツの中央位置とコンテンツを特定するための特定情報）に応じて、サイズ調整部１４２からの映像データに、ＯＳＤ映像データを付加するための調整を行う。すなわち、ＯＳＤ調整部１４３は、対応するチャンネルの制御情報に応じて、ＯＳＤ映像データを生成し、生成したＯＳＤ映像データをサイズ調整部１４２からの映像データの所定領域に付加（重畳）し、ＯＳＤ映像データが付加された映像データを位置調整部１４４に出力する。この重畳の割合（透過度）は、変更可能である。
【０１０７】
位置調整部１４４は、提示バランス設定部１０３により設定された対応するチャンネルの制御情報（例えば、分割画面のサイズ、表示画面における分割画面の位置、分割画面に表示するコンテンツの位置）に応じて、ＯＳＤ調整部１４３からの映像データの位置を移動させたり、マスクをかけるなどして、提示（表示）位置の調整を行い、提示位置が調整された映像データを、映像ミキサ部５６に出力する。
【０１０８】
一方、音声調整部１２２は、音量調整部１５１、音質調整部１５２、および音源位置調整部１５３により構成されている。
【０１０９】
音量調整部１５１は、コンテンツ取得部７１、コンテンツ記憶部７２、およびコミュニケーション部７３のいずれかから入力される所定のチャンネルの音声データの音量を、提示バランス設定部１０３により設定された対応するチャンネルの制御情報に応じて調整し、音量を調整した音声データを、音質調整部１５２に出力する。すなわち、音量調整部１５１は、提示バランス設定部１０３により提示優先度に応じて設定された大きさの音量になるように音量を調整する。
【０１１０】
音質調整部１５２は、音量調整部１５１からの音声データの音質を、提示バランス設定部１０３により設定された対応するチャンネルの制御情報に応じて調整し、音質を調整した音声データを、音源位置調整部１５３に出力する。すなわち、音質調整部１５２は、提示バランス設定部１０３により提示優先度に応じて設定された明瞭度になるように音質を調整する。
【０１１１】
音源位置調整部１５３は、音質調整部１５２からの音声データの音源位置が、提示バランス設定部１０３により設定された対応するチャンネルの制御情報に応じて、表示画面における分割画面の位置が音源位置となるように調整し、音源位置を調整した音声データを、音源位置調整部１５３に出力する。
【０１１２】
なお、図６の例においては、透明度調整、サイズ調整、ＯＳＤ調整、および位置調整の順に処理を行うようにしたが、映像調整処理の順番はそれに限定されない。また、出力映像調整部１２１の構成は、図６の例に限定されない。すなわち、透明度調整部１４１、サイズ調整部１４２、ＯＳＤ調整部１４３、および位置調整部１４４のうちのどれかだけで構成されていてもよいし、さらに、ぼかしやノイズフィルタなどの他の映像データの調整を行うものが追加されていてもよい。
【０１１３】
音声調整部１２２の場合も同様であり、音量調整部１５１、音質調整部１５２、および音源位置調整部１５３の順やその構成は限定されない。
【０１１４】
次に、図７を参照して、映像調整部１２１および音声調整部１２２の映像データおよび音声データの調整方法を詳しく説明する。なお、以下、すべての有効表示領域を横Ｎ個に分割して構成される分割画面２１１−１乃至２１１−Ｎからなる表示画面２０１を用いて説明する。すなわち、表示画面（の有効表示領域）２０１は、分割画面（表示領域）２１１−１乃至２１１−Ｎにより隙間なく（無駄な有効表示領域がないように）構成されている。
【０１１５】
図７の例においては、上から順に、Ｎ個のチャンネル１乃至Ｎの映像データｖ１乃至ｖＮに対応する映像、映像データｖ１乃至ｖＮが映像調整部１２１により調整された調整後映像データｖ１−１乃至ｖＮ−１に対応する映像、調整後映像データｖ１−１乃至ｖＮ−１に対応する映像がそれぞれ表示される分割画面２１１−１乃至２１１−Ｎからなる表示画面２０１、音声データａ１乃至ａＮが音声調整部１２２により調整された調整後音声データａ１−１乃至ａＮ−１に対応する音声、並びに、Ｎ個のチャンネル１乃至Ｎの音声データａ１乃至ａＮに対応する音声が示されている。
【０１１６】
また、図７の例の場合、Ｎ個の各チャンネルには、均等な提示優先度が算出されており、提示バランス設定部１０３は、均等な提示優先度に応じて、各チャンネルを表示する分割画面２１１−１乃至２１１−Ｎのサイズ（横のサイズ）を均等に設定し、さらに、設定したサイズの各分割画面に最適に映像データが提示されるように、そのほかの制御情報（表示画面２０１における対応する分割画面の位置、チャンネルの特定情報（いまの場合、チャンネル番号など）も設定し、対応する映像調整部１２１に供給している。
【０１１７】
したがって、映像調整部１２１−１は、提示バランス設定部１０３からの制御情報に応じて、チャンネル１に対応する映像データｖ１を、表示画面２０１の左端に位置する分割画面２１１−１に表示させるための調整を行う。例えば、映像調整部１２１−１は、映像データｖ１における分割画面２１１−１に表示される領域が中心となるように、その領域の下部にチャンネル番号「１」を示すＯＳＤ映像ｔ１に対応する映像データを付加（重畳）し、その後、映像データｖ１において、分割画面２１１−１に表示される領域以外の領域にマスクをかけて、映像データｖ１を調整し、調整後の映像データｖ１−１を映像ミキサ部５６に出力する。
【０１１８】
同様に、映像調整部１２１−２は、提示バランス設定部１０３からの制御情報に応じて、チャンネル２の映像データｖ２を、表示画面２０１の分割画面２１１−１の右隣に位置する分割画面２１１−２に表示させるための調整を行う。例えば、映像調整部１２１−２は、映像データｖ２における分割画面２１１−２に表示される領域が中心となるように、その領域の下部にチャンネル番号「２」を示すＯＳＤ映像ｔ２に対応する映像データを付加し、その後、映像データｖ２において、分割画面２１１−２に表示される領域以外の領域にマスクをかけて、映像データｖ２を調整し、調整後の映像データｖ２−１を映像ミキサ部５６に出力する。
【０１１９】
映像調整部１２１−３は、提示バランス設定部１０３からの制御情報に応じて、チャンネル３の映像データｖ３を、表示画面２０１の分割画面２１１−２の右隣に位置する分割画面２１１−３に表示させるための調整を行う。例えば、映像調整部１２１−３は、映像データｖ３における分割画面２１１−３に表示される領域が中心となるように、その領域の下部にチャンネル番号「３」を示すＯＳＤ映像ｔ３に対応する映像データを付加し、その後、映像データｖ３において、分割画面２１１−３に表示される領域以外の領域にマスクをかけて、映像データｖ３を調整し、調整後の映像データｖ３−１を映像ミキサ部５６に出力する。
【０１２０】
映像調整部１２１−Ｎは、提示バランス設定部１０３からの制御情報に応じて、チャンネルＮの映像データｖＮを、表示画面２０１の右端に位置する分割画面２１１−Ｎに表示させるための調整を行う。例えば、映像調整部１２１−３は、映像データｖＮにおける分割画面２１１−Ｎに表示される領域が中心となるように、その領域の下部にチャンネル番号「Ｎ」を示すＯＳＤ映像ｔＮに対応する映像データを付加し、その後、映像データｖＮにおける分割画面２１１−Ｎに表示される領域以外の領域にマスクをかけて、映像データｖＮを調整し、調整後の映像データｖＮ−１を映像ミキサ部５６に出力する。
【０１２１】
映像ミキサ部５６は、映像調整部１２１−１乃至１２１−Ｎから出力される各映像データｖ１−１乃至ｖＮ−１を重畳し、重畳した映像データに対応する表示画面２０１を映像出力部６２に表示させる。
【０１２２】
これにより、映像出力部６２には、均等なサイズの各分割画面２１１−１乃至２１１−Ｎで構成される表示画面２０１が表示される。各分割画面２１１−１乃至２１１−Ｎには、それぞれ、複数チャンネルの調整後の映像データｖ１−１乃至ｖＮ−１に対応する映像が表示される。
【０１２３】
なお、図７の表示画面２０１の各分割画面２１１−１乃至２１１−Ｎにおいては、映像データｖ１−１乃至ｖＮ−１自体の表示は説明の便宜上省略されているが、各映像調整部１２１によりチャンネルの特定情報に応じて付加されたＯＳＤ映像ｔ１乃至ｔＮがそれぞれ表示されている。
【０１２４】
また、図７の例においては、提示バランス設定部１０３は、均等な提示優先度に応じて、各チャンネルの音量も均等に設定し、各音声調整部１２２にも、制御情報として、表示画面２０１内の対応する分割画面の位置、音量などを供給している。すなわち、提示優先度に応じて設定された音量は、各分割画面のサイズと対応している。
【０１２５】
したがって、音声調整部１２２−１は、提示バランス設定部１０３からの制御情報に応じて、チャンネル１の音声が、設定された音量（すなわち、分割画面２１１−１のサイズ）に応じた大きさで、かつ、表示画面２０１における分割画面２１１−１の位置から聞こえるように、チャンネル１の音声データａ１の音量および音源位置を調整し、調整後の音声データａ１−１を音声ミキサ部５７に出力する。
【０１２６】
同様に、音声調整部１２２−２は、提示バランス設定部１０３からの制御情報に応じて、チャンネル２の音声が、設定された音量（すなわち、分割画面２１１−２のサイズ）に応じた大きさで、かつ、表示画面２０１における分割画面２１１−２の位置から聞こえるように、チャンネル２の音声データａ２の音量および音源位置を調整し、調整後の音声データａ２−１を音声ミキサ部５７に出力する。
【０１２７】
音声調整部１２２−３は、提示バランス設定部１０３からの制御情報に応じて、チャンネル３の音声が、設定された音量（すなわち、分割画面２１１−３のサイズ）に応じた大きさで、かつ、表示画面２０１における分割画面２１１−３の位置から聞こえるように、チャンネル３の音声データａ３の音量および音源位置を調整し、調整後の音声データａ３−１を音声ミキサ部５７に出力する。
【０１２８】
音声調整部１２２−Ｎは、提示バランス設定部１０３からの制御情報に応じて、チャンネルＮの音声が、設定された音量（すなわち、分割画面２１１−Ｎのサイズ）に応じた大きさで、かつ、表示画面２０１における分割画面２１１−Ｎの位置から聞こえるように、チャンネルＮの音声データａＮの音量および音源位置を調整し、調整後の音声データａＮ−１を音声ミキサ部５７に出力する。
【０１２９】
音声ミキサ部５７は、音声調整部１２２−１乃至１２２−Ｎから出力される各音声データａ１−１乃至ａＮ−１を合成し、合成した音声データに対応する音声を音声出力部６３から出力させる。
【０１３０】
これにより、音声出力部６３からは、複数チャンネルの調整後の音声データａ１−１乃至ａＮ−１に対応する音声が、各分割画面２１１−１乃至２１１−Ｎのサイズに応じた大きさで、各分割画面２１１−１乃至２１１−Ｎの位置から聞こえるように出力される。
【０１３１】
図８は、図７の表示画面２０１の他の例を示している。
【０１３２】
図８の例においては、上から順に、Ｎ個のチャンネル１乃至Ｎの映像データｖ１乃至ｖＮに対応する映像、映像データｖ１乃至ｖＮが映像調整部１２１により調整された調整後映像データｖ１−２乃至ｖＮ−２に対応する映像、調整後映像データｖ１−２乃至ｖＮ−２に対応する映像がそれぞれ表示される分割画面２１１−１乃至２１１−Ｎからなる表示画面２０１、音声データａ１乃至ａＮが音声調整部１２２により調整された調整後音声データａ１−２乃至ａＮ−２に対応する音声、並びに、Ｎ個のチャンネル１乃至Ｎの音声データａ１乃至ａＮに対応する音声が示されている。
【０１３３】
また、図８の例の場合、図７の例において均等であった提示優先度に分布が生じ、図７の例よりも、チャンネル１の提示優先度が低くなり、チャンネル３の提示優先度が高くなり、チャンネルＮの提示優先度が多少高くなった場合における表示画面２０１が示されている。
【０１３４】
ここで、提示優先度は、図４を参照して上述したようにチャンネル数に応じて正規化されている（例えば、合計で１００％になるように設定されている）ため、チャンネル１、チャンネル３、およびチャンネルＮ以外のチャンネルの提示優先度も、チャンネル１、チャンネル３、およびチャンネルＮの提示優先度の変更に応じて多少変更される。例えば、チャンネル２は、図７の例よりも少し高くなっている。
【０１３５】
したがって、提示バランス設定部１０３は、変更された提示優先度に応じて、すべての分割画面のサイズ、サイズに応じて変化した分割画面の提示位置、および音量などの制御情報を変更し、映像調整部１２１および音声調整部１２２に供給する。
【０１３６】
具体的には、提示バランス設定部１０３は、チャンネル１の分割画面２１１−１のサイズ（横サイズ、すなわち面積）が、図７の例の場合よりも狭く、チャンネル１の音量がより小さくなるように、チャンネル３の分割画面２１１−３のサイズが図７の例の場合よりも広く、チャンネル３の音量がより大きくなるように、チャンネルＮの分割画面２１１−Ｎのサイズが図７の例の場合よりも少し広く、チャンネルＮの音量がより少し大きくなるように制御情報を変更し、映像調整部１２１および音声調整部１２２に供給する。
【０１３７】
これに対応して、映像調整部１２１−１乃至１２１−Ｎは、提示バランス設定部１０３からの制御情報に応じて、図７の例と同様に、対応するチャンネルの映像データｖ１乃至ｖＮを、提示優先度に応じてサイズが変更された分割画面２１１−１乃至２１１−Ｎに表示させるための調整をそれぞれ行い、調整後の映像データｖ１−２乃至ｖＮ−２を映像ミキサ部５６にそれぞれ出力する。
【０１３８】
映像ミキサ部５６は、映像調整部１２１−１乃至１２１−Ｎから出力される各映像データｖ１−２乃至ｖＮ−２を重畳し、重畳した映像データに対応する表示画面２０１を映像出力部６２に表示させる。
【０１３９】
これにより、映像出力部６２には、複数チャンネルの調整後の映像データｖ１−２乃至ｖＮ−２に対応する映像が表示される、提示優先度に応じて横サイズ（面積）が変更された各分割画面２１１−１乃至２１１−Ｎで構成される表示画面２０１が表示される。
【０１４０】
一方、音声調整部１２２−１乃至１２２−Ｎは、提示バランス設定部１０３からの制御情報に応じて、図７の例と同様に、対応するチャンネルの音声が、変更された音量の大きさで、かつ、横サイズが変更された分割画面の位置から聞こえるように、音声データの音量および音源位置をそれぞれ調整し、調整後の音声データａ１−２乃至ａＮ−２を音声ミキサ部５７にそれぞれ出力する。
【０１４１】
音声ミキサ部５７は、音声調整部１２２−１乃至１２２−Ｎから出力される各音声データａ１−２乃至ａＮ−２を合成し、合成した音声データに対応する音声を音声出力部６３から出力させる。
【０１４２】
これにより、音声出力部６３からは、複数チャンネルの調整後の音声データａ１−２乃至ａＮ−２に対応する音声が、提示優先度に応じて横サイズが変更され、サイズの変更に伴い変更された各分割画面２１１−１乃至２１１−Ｎの位置から聞こえるように出力される。
【０１４３】
すなわち、図８の例においては、図７の各分割画面２１１−１乃至２１１−Ｎと比較して、低くなった提示優先度に応じて横サイズが小さくなった分割画面２１１−１、少し高くなった提示優先度に応じて、横サイズが少し大きくなった分割画面２１１−２、高くなった提示優先度に応じて、横サイズが大きくなった分割画面２１１−３、…、および少し高くなった提示優先度に応じて、横サイズが少し大きくなった分割画面２１１−Ｎで構成される表示画面２０１が表示されている。
【０１４４】
そして、図８の表示画面２０１を見ているユーザには、低くなった提示優先度に応じて横サイズが小さくなった分割画面２１１−１の位置から、低くなった提示優先度に応じて音量が小さくなった音声データａ１−２に対応する音声が聞こえ、少し高くなった提示優先度に応じて、横サイズが少し大きくなった分割画面２１１−２の位置から、少し高くなった提示優先度に応じて音量が少し大きくなった音声データａ２−２に対応する音声が聞こえてくる。
【０１４５】
同様に、ユーザには、高くなった提示優先度に応じて横サイズが大きくなった分割画面２１１−３の位置から、高くなった提示優先度に応じて音量が大きくなった音声データａ３−２に対応する音声が聞こえ、少し高くなった提示優先度に応じて、横サイズが少し大きくなった分割画面２１１−Ｎの位置から、少し高くなった提示優先度に応じて音量が少し大きくなった音声データａＮ−２に対応する音声が聞こえてくる。
【０１４６】
以上のように、各チャンネルに対する提示優先度に応じて、そのチャンネルを表示する分割画面の表示サイズ（すなわち、表示面積）を変更して表示させるようにしたので、ユーザに対して、ユーザの目的に応じた見やすい表示画面を提供することができる。
【０１４７】
さらに、分割画面の表示面積に対応させる提示優先度として、正規化された（例えば、合計で１００％になるように設定された）各チャンネルに対する提示優先度を用いることにより、任意のチャンネル数であっても、多様な表示バランスでの表示を実現することができる。
【０１４８】
また、図７および図８の分割画面２１１−１乃至２１１−Ｎは、表示画面２０１の有効表示領域をすべて用いて構成されている。これにより、有効表示領域を無駄にすることなく、効率的な映像データ提示が可能になる。
【０１４９】
なお、上述した提示優先度の変化に応じて、分割画面２１１−１乃至２１１−Ｎのサイズ（すなわち、表示面積）を変化させる際に、その遷移を効果的に表現する視聴覚的特殊効果（エフェクト）を付加することもできる。
【０１５０】
次に、図９および図１０を参照して、表示画面２０１における分割画面２１１−１乃至２１１−Ｎのサイズの遷移を表現する視聴覚的特殊効果の例を説明する。
【０１５１】
図９の例においては、表示画面２０１における分割画面２１１−１乃至２１１−Ｎの３つの表示状態ＳＳ１乃至表示状態ＳＳ３が示されており、図１０の例においては、表示画面２０１における分割画面２１１−１乃至２１１−Ｎの３つの表示状態ＳＳ４乃至表示状態ＳＳ６が示されている。
【０１５２】
表示状態ＳＳ１は、図７を参照して上述したように、各チャンネルに対して均等に提示優先度が算出され、各分割画面に均等なサイズが設定されている場合の表示画面２０１の表示状態を表している。表示状態ＳＳ１の表示画面２０１において、各分割画面２１１−１乃至２１１−Ｎは、それぞれ均等なサイズで構成されている。
【０１５３】
表示状態ＳＳ２は、表示状態ＳＳ１の分割画面２１１−１乃至２１１−Ｎから、表示状態ＳＳ３の分割画面２１１−１乃至２１１−Ｎに遷移する間の表示画面２０１の表示状態を表している。
【０１５４】
表示状態ＳＳ２の表示画面２０１において、分割画面２１１−３の左枠を含めて、分割画面２１１−３の左枠よりも左側に配置される各分割画面の枠は、均等なサイズが設定されている表示状態ＳＳ１における各分割画面の枠の位置から、チャンネル３に対して最も高い提示優先度が算出されている（すなわち、チャンネル３の分割画面に最も大きいサイズが設定されている）表示状態ＳＳ３における各分割画面の枠の位置まで、矢印Ｌ１（図中左）方向に移動している。
【０１５５】
ここで、表示画面２０１内の点線は、各分割画面２１１−１乃至２１１−Ｎの枠の上端部も下端部も同時に移動方向に移動した場合の下端部を表している。
【０１５６】
すなわち、表示状態ＳＳ２において、各分割画面の枠の上端部と下端部は移動方向に同時には移動しておらず、点線に示されるように、分割画面２１１−３の左枠の下端部は、移動方向である矢印Ｌ１とは逆方向になびくように、その上端部より遅れて移動しており、同様に、分割画面２１１−３の左側において、分割画面２１１−３の左枠とともに矢印Ｌ１方向に移動する分割画面２１１−２の左枠の下端部も、矢印Ｌ１とは逆方向になびくように、その上端部より遅れて移動している。
【０１５７】
また、表示状態ＳＳ２の表示画面２０１において、分割画面２１１−３の右枠を含めて、分割画面２１１−３の右枠よりも右側に配置される各分割画面の枠は、表示状態ＳＳ１における各分割画面の枠の位置から、表示状態ＳＳ３の各分割画面の枠の位置まで、矢印Ｒ１（図中右）方向に移動している。
【０１５８】
このとき、点線に示されるように、分割画面２１１−３の右枠の下端部は、移動方向である矢印Ｒ１とは逆方向になびくように、その上端部より遅れて移動しており、同様に、分割画面２１１−３の右側において、分割画面２１１−３の右枠とともに矢印Ｒ１方向に移動する各分割画面の右枠の下端部も、矢印Ｒ１とは逆方向になびくように、その上端部より遅れて移動している。
【０１５９】
なお、表示状態ＳＳ２において、各分割画面の枠の下端部の、上端部からの遅れの程度は、その移動量が大きいほど大きくなっている。
【０１６０】
表示状態ＳＳ３は、チャンネル３に対する提示優先度が最も高くなるように、各チャンネルに対して提示優先度が算出され、チャンネル３の分割画面に最も大きいサイズが設定されている場合の表示画面２０１の表示状態を表している。すなわち、表示状態ＳＳ３の表示画面２０１においては、分割画面２１１−３が最も大きい横サイズで表示されている。
【０１６１】
表示状態ＳＳ４は、表示状態ＳＳ３の分割画面２１１−１乃至２１１−Ｎから、表示状態ＳＳ５の分割画面２１１−１乃至２１１−Ｎに遷移する間の表示画面２０１の表示状態を表している。
【０１６２】
状態ＳＳ４の表示画面２０１において、各分割画面２１１の各枠は、チャンネル３の分割画面に最も大きいサイズが設定されている表示状態ＳＳ３の位置から、チャンネルＮの分割画面に最も大きいサイズが設定されている表示状態ＳＳ５の位置まで、矢印Ｌ２（図中左）方向に移動している。
【０１６３】
このとき、点線に示されるように、分割画面２１１−Ｎの左枠の下端部は、矢印Ｌ２とは逆方向になびくように、その上端部より遅れて移動しており、同様に、分割画面２１１−Ｎの左側において分割画面２１１−Ｎの左枠とともに矢印Ｌ２方向に移動する各分割画面２１１の左枠の下端部も、矢印Ｌ２とは逆方向になびくように、その上端部より遅れて移動している。
【０１６４】
なお、表示状態ＳＳ４における各分割画面の枠の下端部の、上端部からの遅れの程度も、表示状態ＳＳ２と同様に、その移動量が大きいほど大きくなっている。
【０１６５】
表示状態ＳＳ５は、チャンネルＮに対する提示優先度が最も高くなるように、各チャンネルに対して提示優先度が算出され、チャンネルＮの分割画面に最も大きいサイズが設定されている場合の表示画面２０１の表示状態を表している。すなわち、表示状態ＳＳ５の表示画面２０１においては、分割画面２１１−Ｎが最も大きい横サイズで表示されている。
【０１６６】
表示状態ＳＳ６は、表示状態ＳＳ５の分割画面２１１−１乃至２１１−Ｎから、表示状態ＳＳ１の分割画面２１１−１乃至２１１−Ｎに遷移する間の表示画面２０１の表示状態を表している。
【０１６７】
状態ＳＳ６の表示画面２０１において、各分割画面２１１の各枠は、チャンネルＮの分割画面に最も大きいサイズが設定されている表示状態ＳＳ５の位置から、すべての分割画面に均等なサイズが設定されている表示状態ＳＳ１の位置まで、矢印Ｒ２（図中右）方向に移動している。
【０１６８】
このとき、点線に示されるように、分割画面２１１−Ｎの左枠の下端部は、矢印Ｒ２とは逆方向になびくように、その上端部より遅れて移動しており、同様に、分割画面２１１−Ｎの左側において分割画面２１１−Ｎの左枠とともに矢印Ｒ２方向に移動する各分割画面２１１の左枠の下端部も、矢印Ｌ２とは逆方向になびくように、その上端部より遅れて移動している。
【０１６９】
なお、表示状態ＳＳ６における各分割画面の枠の下端部の、上端部からの遅れの程度も、表示状態ＳＳ２と同様に、その移動量が大きいほど大きくなっている。
【０１７０】
以上の、表示状態ＳＳ２、表示状態ＳＳ４、および表示状態ＳＳ６に示されるように、分割画面２１１−１乃至２１１−Ｎのサイズ（面積）の変化の遷移も表示させるようにすることにより、分割画面のサイズを突然変化させるのではなく、ゆるやかに変化させることができ、ユーザに対して、心地よい視聴環境を提供することができる。
【０１７１】
また、表示状態ＳＳ２、表示状態ＳＳ４、および表示状態ＳＳ６における各分割画面の移動中の枠の下端部は、その上端部に対して、移動方向とは逆方向に遅れて移動している。すなわち、表示状態ＳＳ２、表示状態ＳＳ４、および表示状態ＳＳ６における各分割画面の移動中の枠は、あたかも、実際の窓にかけられているカーテンがユーザの手により開閉される際に、そのカーテンの下端部が移動方向とは逆方向になびくように移動している。
【０１７２】
このように、表示状態ＳＳ２、表示状態ＳＳ４、および表示状態ＳＳ６における各分割画面の枠をカーテンがなびくように移動させることで、例えば、その性質上機能的であることから、ブラインドが、ユーザにビジネス要素を感じさせるものであることに対して、カーテンの場合には、ユーザに、家庭的な印象や親近感を提供することができる。
【０１７３】
なお、この視聴覚的特殊効果は、例えば、表示状態ＳＳ１から表示状態ＳＳ３までの遷移中の時間情報と、時間情報に対応した分割画面のサイズ、位置、および枠形状などを、制御情報として、位置調整部１４４に供給させ、これに対応して、位置調整部１４４は、例えば、供給された時間情報毎に、制御情報に応じた分割画面に応じて、映像データを調整することにより実現される。
【０１７４】
図１１は、表示画面を構成する各分割画面に映像データを最適に表示させるための調整方法を説明する図である。
【０１７５】
図１１の上段には、調整前の映像データに対応する元映像２５１ａ乃至２５３ａが示されている。すなわち、調整前の映像データをそのまま映像出力部６２に表示させると、表示画面として、ユーザＡが中央に位置する映像２５１ａ、ユーザＢが中央よりも右寄りに位置する元映像２５２ａ、および、ユーザＣおよびユーザＤが中央に位置する元映像２５３ａが表示される。
【０１７６】
しかしながら、表示画面を構成する複数の分割画面に表示させる場合、映像データのうち、各元映像２５１ａ乃至２５３ａの一部しか表示されない。
【０１７７】
例えば、元映像２５１ａを表示する分割画面が、複数の分割画面で構成される表示画面の一番左端に位置する場合、この分割画面に表示させる領域として、映像データにおける対応領域（すなわち、元映像２５１ａの一番左端の領域）を表示させるようにしてもよいが、映像内の被写体の位置によっては、例えば、元映像２５１ａのように、中央に位置するユーザＡがほとんど表示されない場合もある。
【０１７８】
このような場合、映像調整部１２１は、図１１の元映像２５１ａ乃至元２５３ａに表示される各ユーザが、対応する分割画面にそれぞれ最適に表示されるように、元映像２５１ａ乃至２５３ａに対して次のような調整を行う。
【０１７９】
すなわち、元映像２５１ａの場合、映像調整部１２１は、元映像２５１ａの中央位置Ｃ１を中心として、分割画面のサイズの領域Ｅ１以外の領域Ｍ１−１およびＭ１−２をマスクするように、元映像２５１ａに対応する映像データを最適に調整する。これにより、最適化映像２５１ｂに対応する映像データが得られる。
【０１８０】
同様に、元映像２５２ａの場合、映像調整部１２１は、元映像２５２ａの中央位置から右に寄りの、ユーザＢが表示される位置Ｃ２を中心として、分割画面のサイズの領域Ｅ２以外の領域Ｍ２−１およびＭ２−２をマスクするように、元映像２５２ａに対応する映像データを最適に調整する。これにより、最適化映像２５２ｂに対応する映像データが得られる。
【０１８１】
一方、元映像２５３ａの場合、分割画面のサイズの領域Ｅ３に、ユーザＣおよびユーザＤが納まりきらない。したがって、元映像２５３ａの場合、映像調整部１２１は、元映像２５３ａの中央位置Ｃ３を中心として、左右方向に縮小を行い、その後、分割画面のサイズの領域Ｅ３以外の領域Ｍ３−１およびＭ３−２をマスクするように、元映像２５３ａに対応する映像データを最適に調整する。これにより、最適化映像２５３ｂに対応する映像データが得られる。
【０１８２】
そして、この後、さらに、最適化映像２５１ｂ乃至２５３ｂにおける位置Ｃ１乃至Ｃ３を、表示画面における各分割画面の中心位置に合わせるように、映像データの提示（表示）位置が調整され、調整後の映像データが映像ミキサ５６により重畳される。
【０１８３】
これにより、映像出力部６２には、図１２および図１３に示されるように、調整後の映像データに対応する調整後映像２５１ｃ乃至２５３ｃが表示される各分割画面からなる表示画面２７１乃至２７４が表示される。
【０１８４】
図１２および図１３は、調整後の映像データに対応する映像が表示される分割画面からなる表示画面の例を示している。
【０１８５】
図１２および図１３の例の表示画面２７１乃至２７４は、すべての有効表示領域が横８個に分割されて、８個のチャンネル１乃至８がそれぞれ表示される分割画面２８１−１乃至２８１−８で構成されており、例えば、チャンネル２，３，および６として、それぞれ、図１１の元映像２５３ａ、２５１ａ、および２５２ａに対応する映像データのコンテンツが選択されている。
【０１８６】
したがって、以下、チャンネル２，３，６を用いて、表示画面２７１乃至２７４について順に説明する。なお、図示および説明は省略するが、チャンネル１，４，５，７，８としても、他の所定のコンテンツが選択されているものとする。また、説明の便宜上、その説明を省略するが、これらの表示画面２７１乃至２７４においても、各分割画面２８１−１乃至２８１−８の下部には、各映像データに重畳された特性情報としてのチャンネル番号のＯＳＤ映像が表示されている。
【０１８７】
図１２の例においては、表示画面２７１および２７２における各分割画面２８１−１乃至２８１−８は、予め設定された順に並んで構成されている。
【０１８８】
表示画面２７１においては、８個のチャンネルには、均等な提示優先度が算出されており、提示優先度に応じて均等なサイズに設定された各分割画面２８１−１乃至２８１−８には、それぞれ、均等なサイズの分割画面２８１−１乃至２８１−８に応じて最適に調整された映像データに対応するコンテンツの映像が表示されている。
【０１８９】
具体的には、均等なサイズの分割画面２８１−２には、チャンネル２として、分割画面２８１−２にユーザＤが少しでも表示されるように、元映像２５３ａの映像データが最適に調整され、さらに位置が調整された映像データに対応する調整後映像２５３ｃが表示されている。なお、この場合、左右方向の縮小は行われず、最適化映像２５３ｂにおける右端位置と、分割画面２８１−２の右端位置とが一致するように映像データの提示位置が調整されている。
【０１９０】
均等なサイズの分割画面２８１−３には、チャンネル３として、分割画面２８１−３にユーザＡが中央に表示されるように、元映像２５１ａの映像データが最適に調整され、さらに位置が調整された映像データに対応する調整後映像２５１ｃが表示されている。なお、この場合、左右方向の縮小は行われず、最適化映像２５１ｂにおける位置Ｃ１と、分割画面２８１−３の中央位置とが一致するように映像データの提示位置が調整されている。
【０１９１】
均等なサイズの分割画面２８１−６には、チャンネル６として、分割画面２８１−６にユーザＡが中央に表示されるように、元映像２５２ａの映像データが最適に調整され、さらに位置が調整された映像データに対応する調整後映像２５２ｃが表示されている。なお、この場合、左右方向の縮小は行われず、最適化映像２５２ｂにおける位置Ｃ２と、分割画面２８１−６の中央位置とか合わさるように映像データの提示位置が調整されている。
【０１９２】
以上のように構成される表示画面２７１が表示されているときに、例えば、ユーザの操作により、チャンネル３の要求情報がユーザ情報入力部６１より入力されると、チャンネル３に対する提示優先度が最大となるようにチャンネル１乃至８の提示優先度が算出される。この結果、映像出力部６２には、最大に算出されたチャンネル３に対する提示優先度に応じた表示画面２７２が表示される。
【０１９３】
表示画面２７２においては、８個のチャンネルのうち、チャンネル３の提示優先度が最大に算出されており、提示優先度に応じたサイズに設定された各分割画面２８１−１乃至２８１−８には、それぞれ、設定されたサイズの分割画面２８１−１乃至２８１−８に応じて最適に調整された映像データに対応するコンテンツの映像が表示されている。
【０１９４】
具体的には、表示画面２７１の場合よりサイズが小さくなった分割画面２８１−２には、分割画面２８１−２の小ささから、その表示を省略するが、チャンネル２として、元映像２５３ａの映像データが最適に調整され、さらに位置が調整された映像データに対応する調整後映像２５３ｃが表示されている。また、表示画面２７１よりサイズが小さくなった分割画面２８１−６には、分割画面２８１−６の小ささから、その表示を省略するが、チャンネル６として、元映像２５２ａの映像データが最適に調整され、さらに位置が調整された映像データに対応する調整後映像２５２ｃが表示されている。
【０１９５】
提示優先度に応じて最大のサイズに設定された分割画面２８１−３には、チャンネル３として、最大のサイズの分割画面２８１−３にユーザＡが中央に表示されるように、元映像２５１ａの映像データが最適に調整され、さらに位置が調整された映像データに対応する調整後映像２５１ｃが表示されている。なお、この場合、調整時におけるマスクの領域は最小限とされ、最適化映像２５１ｂにおける位置Ｃ１と、分割画面２８１−３の中央位置とが一致するように映像データの提示位置が調整されている。
【０１９６】
以上のように構成される表示画面２７２が表示されているときに、例えば、ユーザの操作により、チャンネル６の要求情報がユーザ情報入力部６１より入力されると、チャンネル３および６に対する提示優先度が共に大きくなるようにチャンネル１乃至８の提示優先度が算出される。この結果、映像出力部６２には、共に大きくなるように算出されたチャンネル３および６に対する提示優先度に応じた表示画面２７３が表示される。
【０１９７】
ここで、図１３の例の表示画面２７３および２７４においては、分割画面２８１−１乃至２８１−８のうち、ユーザの操作により要求情報が入力される頻度が多いチャンネルの分割画面同士が、表示画面において隣接して位置するように予め設定されている。
【０１９８】
表示画面２７３においては、８個のチャンネルのうち、チャンネル３とチャンネル６の提示優先度が共に大きく算出されており、提示優先度に応じたサイズに設定された各分割画面２８１−１乃至２８１−８には、それぞれ、設定されたサイズの分割画面２８１−１乃至２８１−８に応じて最適に調整された映像データに対応するコンテンツの映像が表示されている。
【０１９９】
また、表示画面２７３においては、チャンネル３およびチャンネル６の要求情報が入力される頻度が、チャンネル４や５よりも多いため、チャンネル４および５が表示される分割画面２８１−４および２８１−５ではなくて、チャンネル６を表示する分割画面２８１−６の位置が、チャンネル３を表示する分割画面２８１−３と並ぶように隣接して表示されている。
【０２００】
具体的には、表示画面２７２の場合と略同サイズの分割画面２８１−２には、分割画面２８１−２の小ささから、その表示を省略するが、チャンネル２として、元映像２５３ａの映像データが最適に調整され、さらに位置が調整された映像データに対応する調整後映像２５３ｃが表示されている。
【０２０１】
チャンネル６の分割画面２８１−６と共に大きくなるように、すなわち、最大サイズであった表示画面２７２の場合より小さいサイズに設定された分割画面２８１−３には、チャンネル３として、分割画面２８１−３にユーザＡが中央に表示されるように、映像２５１ａの映像データが最適に調整され、さらに位置が調整された映像データに対応する調整後映像２５１ｃが表示されている。
【０２０２】
チャンネル３の分割画面２８１−３と共に大きくなるように、すなわち、表示画面２７２の場合より大きいサイズに設定され、さらに、分割画面２８１−３に隣接する位置に移動された分割画面２８１−６には、チャンネル６として、分割画面２８１−６にユーザＢが中央に表示されるように、元映像２５２ａの映像データが最適に調整され、さらに位置が調整された映像データに対応する調整後映像２５２ｃが表示されている。
【０２０３】
以上のように構成される表示画面２７３が表示されているときに、例えば、ユーザの操作により、チャンネル２の高めの要求情報がユーザ情報入力部６１より入力されると、チャンネル２の提示優先度が、チャンネル３および６に対する提示優先度よりも少し大きくなるようにチャンネル１乃至８の提示優先度が算出される。この結果、映像出力部６２には、チャンネル３および６よりも大きくなるように算出されたチャンネル２に対する提示優先度に応じた表示画面２７４が表示される。
【０２０４】
表示画面２７４においては、８個のチャンネルのうち、チャンネル２、３、および６の提示優先度が大きく、その中でも、チャンネル２の提示優先度がチャンネル３および６よりも少し大きく算出されており、提示優先度に応じたサイズに設定された各分割画面２８１−１乃至２８１−８には、それぞれ、設定されたサイズの分割画面２８１−１乃至２８１−８に応じて最適に調整された映像データに対応するコンテンツの映像が表示されている。
【０２０５】
具体的には、表示画面２７３の場合よりサイズが大きくなった分割画面２８１−２には、チャンネル２として、分割画面２８１−２にユーザＣおよびＤが中央に表示されるように、元映像２５３ａの映像データが最適に調整され、さらに位置が調整された映像データに対応する調整後映像２５３ｃが表示されている。なお、この場合、図１１を参照して上述したように、左右方向の縮小が行われ、最適化映像２５３ｂにおける位置Ｃ３と、分割画面２８１−２の中央位置とが一致するように映像データの提示位置が調整されている。
【０２０６】
提示優先度に応じて、表示画面２７３におけるサイズよりも小さく設定された分割画面２８１−３には、チャンネル３として、分割画面２８１−３にユーザＡが中央に表示されるように、元映像２５１ａの映像データが最適に調整され、さらに位置が調整された映像データに対応する調整後映像２５１ｃが表示されている。なお、この場合、左右方向の縮小は行われず、最適化映像２５１ｂにおける位置Ｃ１と、分割画面２８１−３の中央位置とが一致するように映像データの提示位置が調整されている。
【０２０７】
提示優先度に応じて、表示画面２７３におけるサイズよりも小さく設定された分割画面２８１−６には、チャンネル６として、分割画面２８１−６にユーザＢが中央に表示されるように、元映像２５２ａの映像データが最適に調整され、さらに位置が調整された映像データに対応する調整後映像２５２ｃが表示されている。なお、この場合、左右方向の縮小は行われず、最適化映像２５２ｂにおける位置Ｃ２と、分割画面２８１−６の中央位置とが一致するように映像データの提示位置が調整されている。
【０２０８】
なお、表示画面２７４においては、チャンネル２、３、および６の要求情報が入力される頻度が、チャンネル１よりも多いが、表示画面２７３においては、チャンネル２を表示する分割画面２８１−２の位置が、チャンネル３を表示する分割画面２８１−３と並んで表示していたため、分割画面の並び順の変更は行われていない。
【０２０９】
以上のように、提示優先度に応じて、分割画面のサイズを変更するだけでなく、サイズが変更された分割画面内において最適になるように、表示対象の映像データを調整することもできるので、１つのチャンネルを表示画面全体に表示される場合より、表示領域がせまくなってしまう分割画面において、何が表示されているのかわからないといった状況を抑制することができる。
【０２１０】
すなわち、例えば、通信相手のコンテンツにおいては、通信相手が映像データの中央に表示されることが多いなどの傾向から、例えば、予め表示の中心を中央に設定しておけば、どんなに分割画面のサイズが小さくなったとしても、その分割画面に表示される情報（通信相手）を把握しておくことができるので、ユーザに快適な表示を提供することができる。
【０２１１】
また、上述したように、分割画面自体の表示順も変えることが可能であるので、例えば、提示優先度が高くなり、サイズが大きくなった２つのチャンネルに対応する２つの分割画面の間に存在する提示優先度が低く、サイズの小さいチャンネルに対応する分割画面が、提示優先度の高い分割画面の快適な視聴を阻んでしまうことを抑制することができる。
【０２１２】
以上により、ユーザに快適なコンテンツの視聴環境を提供することができる。
【０２１３】
さらに、図１４を参照して、映像データの調整方法と、調整後の映像データが表示される表示画面の他の例を説明する。
【０２１４】
図１４の上段には、調整前の映像データに対応する元映像３０１ａが示されている。すなわち、調整前の映像データをそのまま表示画面に表示させると、表示画面には、風景が描かれている元映像３０１ａが表示される。
【０２１５】
元映像３０１ａの場合、映像調整部１２１は、表示画面における分割画面の位置に対応する、元映像３０１ａの領域Ｅ４以外の領域Ｍ４をマスクするように、元映像３０１ａに対応する映像データを最適に調整する。これにより、最適化映像３０１ｂに対応する映像データが得られる。
【０２１６】
なお、最適化映像３０１ｂの場合、最適化映像２５１ｂ乃至２５３ｂのように、提示位置の調整は行われず、最適化映像３０１ｂの映像データが他の映像データと重畳される。これにより、最適化映像３０１ｂの領域Ｅ４がそのままの位置で、表示画面３１１を構成する分割画面３２１−１に表示される。
【０２１７】
表示画面３１１は、すべての有効表示領域が横３個に分割され、３個のチャンネル１乃至３がそれぞれ表示される分割画面３２１−１乃至３２１−３で構成されている。この場合、チャンネル１として、元映像３０１ａのコンテンツが選択され、チャンネル２として、図１１の元映像２５１ａのコンテンツが選択され、チャンネル３として、図１１の元映像２５２ａのコンテンツが選択されている。
【０２１８】
表示画面３１１においては、提示優先度がチャンネル１＞チャンネル２＞チャンネル３として算出されており、これらの提示優先度に応じて、分割画面３２１−１のサイズ＞分割画面３２１−２のサイズ＞分割画面３２１−３のサイズに設定されている。
【０２１９】
具体的には、分割画面３２１−１には、チャンネル１として、画像３０１ａの映像データが最適に調整された最適化映像３０１ｂが表示されている。この場合、最適化映像３０１ｂの提示位置は調整されることなく、最適化映像３０１の領域Ｅ４がそのままの位置で、分割画面３２１−１に表示されている。
【０２２０】
分割画面３２１−２には、チャンネル２として、分割画面３２１−２にユーザＡが中央に表示されるように、映像２５１ａの映像データが最適に調整され、さらに位置が調整された映像データに対応する調整後映像２５１ｃが表示されている。なお、この場合、左右方向の縮小は行われず、最適化映像２５１ｂにおける位置Ｃ１と、分割画面３２１−２の中央位置とが一致するように映像データの提示位置が調整されている。
【０２２１】
分割画面３２１−３には、チャンネル３として、分割画面３２１−３にユーザＢが中央に表示されるように、映像２５２ａの映像データが最適に調整され、さらに位置が調整された映像データに対応する調整後映像２５２ｃが表示されている。なお、この場合、左右方向の縮小が行われ、最適化映像２５２ｂにおける位置Ｃ２と、分割画面３２１−３の中央位置とが一致するように映像データの提示位置が調整されている。
【０２２２】
以上のように、分割画面内における映像データの位置を調整することなく、表示画面における分割画面の位置に対応する映像データの領域を、そのまま表示させるようにしてもよい。
【０２２３】
また、元映像３０１ａの場合の他の例として、映像調整部１２１は、表示画面における分割画面の位置に対応する、元映像３０１ａの領域Ｅ５−１およびＥ５−２以外の領域Ｍ５をマスクするように、元映像３０１ａに対応する映像データを最適に調整する。これにより、最適化映像３０１ｃに対応する映像データが得られる。
【０２２４】
なお、最適化映像３０１ｃの場合、最適化映像３０１ｂの場合と同様に、提示位置調整を行うことなく、最適化映像３０１ｃの映像データが他の映像データと重畳される。これにより、最適化映像３０１ｃの領域Ｅ５−１および領域Ｅ５−２がそのままの位置で、表示画面３１２を構成する分割画面３３１−１と３３１−２に表示される。
【０２２５】
表示画面３１２は、すべての有効表示領域が横３個に分割され、チャンネル１が表示される分割画面３３１−１、チャンネル２が表示される分割画面３３２、およびチャンネル１が表示される分割画面３３１−２で構成されており、チャンネル１として、映像３０１ａのコンテンツが選択され、チャンネル２として、図１１の元映像２５１ａのコンテンツが選択されている。
【０２２６】
また、表示画面３１２においては、チャンネル１および２には、均等な提示優先度が算出されており、提示優先度に応じて均等なサイズの分割画面３３１−１、３３２、および３３１−２が設定されている。
【０２２７】
すなわち、表示画面３１２においては、左端の分割画面３３１−１と右端の分割画面３３１−２の両方の表示領域に、チャンネル１として、画像３０１ａの映像データが最適に調整された映像データに対応する最適化映像３０１ｃが表示されている。この場合、最適化映像３０１ｃの提示位置は調整されることなく、最適化映像３０１ｃの領域Ｅ５−１およびＥ５−２がそのままの位置で、分割画面３３１−１および３３１−２に表示されている。
【０２２８】
一方、分割画面３２１−２には、チャンネル２として、分割画面３２１−２にユーザＡが中央に表示されるように、映像２５１ａの映像データが最適に調整され、さらに位置が調整された映像データに対応する調整後映像２５１ｃが表示されている。なお、この場合、左右方向の縮小は行われず、最適化映像２５１ｂにおける位置Ｃ１と、分割画面３２１−２の中央位置とが一致するように映像データの提示位置が調整されている。
【０２２９】
以上のように、複数の分割画面に、１つのチャンネルのコンテンツを表示させるようにすることも可能である。
【０２３０】
なお、上記説明においては、各分割画面は、相互に重ならないように、表示画面を分割して構成されているが、分割画面同士を重なるように構成してもよい。この場合、両方を透過をさせずに、提示優先度の高いチャンネルの分割画面を、提示優先度の低いチャンネルの分割画面の上に重ねて表示させてもよいし、どちらか一方、あるいは、両方を提示優先度に応じて透過させることもできる。
【０２３１】
次に、図１５のフローチャートを参照して、コンテンツ提示制御装置３１のコンテンツ提示制御処理を説明する。
【０２３２】
ユーザは、ユーザ情報入力部６１を操作して、放送コンテンツ、配信コンテンツ、通信相手のコンテンツ、および蓄積コンテンツの中から、チャンネルとして表示するコンテンツを１以上選択する。ユーザ情報入力部６１は、このユーザの操作に対応して、コンテンツ選択情報を提示バランス制御部５４の情報取得部１０１に供給する。
【０２３３】
情報取得部１０１は、ユーザ情報入力部６１からのコンテンツ選択情報に基づいて、チャンネルデータ供給部５３の対応する各部（コンテンツ取得部７１、コンテンツ記憶部７２、およびコミュニケーション部７３のユーザコンテンツ受信部９１）に対して、ユーザの所望のコンテンツの取得を指示する。
【０２３４】
例えば、チャンネル４として、ユーザによりＢＳデジタル衛星放送波のコンテンツが選択された場合、情報取得部１０１からの指示に応じて、コンテンツ取得部７１は、ステップＳ１１において、チューナ５１を制御し、アンテナ５２を介して、ＢＳデジタル放送衛星３５からの所望のコンテンツの放送信号を取得し、チューナ５１からの放送信号に含まれる放送コンテンツのコンテンツデータを、チャンネル４のデータとして、提示バランス調整部５５に供給する。
【０２３５】
このとき、コンテンツ取得部７１は、チューナ５１からの放送信号に含まれる放送コンテンツのメタデータを、チャンネル４のメタデータとして、情報取得部１０１に供給する。
【０２３６】
また、例えば、チャンネル２として、ユーザにより所望の蓄積コンテンツが選択された場合、情報取得部１０１からの指示に応じて、コンテンツ記憶部７２は、ステップＳ１１において、ユーザ所望の蓄積コンテンツのコンテンツデータを読み出し、チャンネル２のデータとして、提示バランス調整部５５に供給するとともに、そのコンテンツに対応するメタデータを読み出し、チャンネル２のメタデータとして、情報取得部１０１に供給する。
【０２３７】
さらに、例えば、チャンネル３として、ユーザにより通信相手（ユーザＢ）のコンテンツが選択された場合、情報取得部１０１からの指示に応じて、ユーザコンテンツ受信部９１は、ネットワーク３２を介して、他のコンテンツ提示制御装置３１（例えば、コンテンツ提示制御装置３１−２）と通信を行い、ステップＳ１１において、他のコンテンツ提示制御装置３１からの通信相手のコンテンツのコンテンツデータおよびそのメタデータを受信し、通信相手のコンテンツデータを、チャンネル３のデータとして、提示バランス調整部５５に供給するとともに、そのコンテンツに対応するメタデータを、チャンネル３のメタデータとして、情報取得部１０１に供給する。
【０２３８】
情報取得部１０１は、ステップＳ１２において、コンテンツ取得部７１、コンテンツ記憶部７２、およびユーザコンテンツ受信部９１の少なくとも１からの各チャンネルのメタデータを取得し、取得した各チャンネルのメタデータを、提示優先度算出部１０２に供給する。
【０２３９】
提示優先度算出部１０２は、ステップＳ１３において、通信相手の要求情報を取得したか否かを判定する。すなわち、提示優先度算出部１０２は、所定のチャンネルのメタデータに、ユーザコンテンツ受信部９１からメタデータとしての通信相手の要求情報が含まれているか否かを判定する。提示優先度算出部１０２は、ステップＳ１３において、通信相手の要求情報を取得したと判定した場合、ステップＳ１４に進み、ユーザの要求情報を取得したか否かを判定する。
【０２４０】
例えば、ユーザは、ユーザ情報入力部６１を操作して、複数のチャンネルのうち、強い視聴要求のある所定のチャンネルを指示する。ユーザ情報入力部６１は、ユーザの操作に対応して、所定のチャンネルに対するユーザの要求情報を情報取得部１０１に供給し、情報取得部１０１は、所定のチャンネルに対するユーザの要求情報を提示優先度算出部１０２に供給してくる。
【０２４１】
これに対応して、提示優先度算出部１０２は、ステップＳ１４において、所定のチャンネルに対するユーザの要求情報を取得したと判定し、ステップＳ１５に進み、ユーザおよび通信相手の要求情報、並びにメタデータに基づいて、複数のチャンネルの提示優先度を算出し、算出した複数のチャンネルの提示優先度を、提示バランス制御部１０３に供給する。
【０２４２】
提示優先度算出部１０２は、ステップＳ１４において、ユーザの要求情報を取得していないと判定した場合、ステップＳ１６に進み、通信相手の要求情報、およびメタデータに基づいて、複数のチャンネルの提示優先度を算出し、算出した複数のチャンネルの提示優先度を、提示バランス制御部１０３に供給する。
【０２４３】
一方、ステップＳ１３において、通信相手の要求情報を取得していないと判定された場合、提示優先度算出部１０２は、ステップＳ１７に進み、各チャンネルのメタデータ（のみ）に基づいて、複数のチャンネルの提示優先度を算出し、算出した複数のチャンネルの提示優先度を、提示バランス制御部１０３に供給する。
【０２４４】
提示バランス制御部１０３は、ステップＳ１８において、提示優先度算出部１０２により算出された複数のチャンネルの提示優先度に応じて、各チャンネルの分割画面のサイズ（すなわち、面積）、表示画面における分割画面の位置、分割画面に表示するコンテンツの位置、透明度、倍率、対応する音声の音量、音質など、各チャンネルの映像データおよび音声データを調整するためのチャンネル毎の制御情報を設定し、設定したチャンネル毎の制御情報を、対応するチャンネルの映像調整部１２１および音声調整部１２２に供給する。
【０２４５】
映像調整部１２１は、提示バランス制御部１０３からの制御情報が入力されると、ステップＳ１９において、映像調整出力処理を実行する。この映像調整出力処理は、図１７を参照して詳しく後述する。
【０２４６】
ステップＳ１９の映像調整出力処理により、提示バランス制御部１０３からの各チャンネルの制御情報に応じて、設定されたサイズの分割画面に最適に表示されるように、分割画面に表示させる映像データのサイズや透明度、提示位置、特定情報の付加などがそれぞれ調整され、調整された各チャンネルの映像データが、映像ミキサ部５６に供給される。そして、複数のチャンネルの映像データは、映像ミキサ部５６により重畳されて、映像出力部６２に出力される。
【０２４７】
これにより、映像出力部６２には、後述する図１６に示されるように、各チャンネルの分割画面で構成される表示画面が表示される。すなわち、表示画面において、各チャンネルの分割画面には、各チャンネルの提示優先度に応じたサイズの分割画面に適するように調整された各チャンネルの映像データに対応する映像が表示されている。
【０２４８】
一方、音声調整部１２２は、提示バランス制御部１０３からの制御情報が入力されると、ステップＳ２０において、音声調整出力処理を実行する。この音声調整出力処理は、図１８を参照して詳しく後述する。
【０２４９】
ステップＳ２０の映像調整処理により、提示バランス制御部１０３からの各チャンネルの制御情報に応じて、設定されたサイズの分割画面の位置から聞こえるように、音声データの音量、音質、および音源位置などがそれぞれ調整され、調整された各チャンネルの音声データが、音声ミキサ部５７に供給される。そして、複数のチャンネルの音声データが音声ミキサ部５７により合成されて、音声出力部６３に出力される。
【０２５０】
これにより、音声出力部６３からは、図７を参照して上述したように、各チャンネルの提示優先度に応じたサイズの分割画面の位置から、対応するチャンネルの音声が聞こえるように、複数のチャンネルの音声が出力される。
【０２５１】
ステップＳ２０の後、処理は、ステップＳ１１に戻り、それ以降の処理を繰り返す。すなわち、図１５のコンテンツ提示制御処理は、ユーザによりコンテンツ提示制御装置３１の電源のＯＦＦの指示がなされるまで繰り返し続けられる。
【０２５２】
次に、図１６および図１７のフローチャートを参照して、図１５のステップＳ１９の映像調整出力処理を説明する。
【０２５３】
図１６は、映像出力部６２に表示される表示画面の例を示している。図１６に示される表示画面３５１乃至３５３は、その全有効表示領域を用いて構成される８個の分割画面３６１−１乃至３６１−８からなる。
【０２５４】
表示画面３５１においては、８個のチャンネルには、均等な提示優先度が算出されており、提示優先度に応じて均等なサイズに設定された各分割画面３６１−１乃至３６１−８には、それぞれ、均等なサイズの分割画面３６１−１乃至３６１−８に応じて最適に調整された映像データに対応するコンテンツの映像が表示されている。
【０２５５】
具体的には、均等なサイズの分割画面３６１−２には、チャンネル２として、例えば、蓄積コンテンツの映像データのサイズなどが最適に調整され、チャンネル２の内容（すなわち、「ドラマ」のコンテンツであること）をユーザに特定させるための「ドラマ」と示されたＯＳＤ映像に対応する映像データが重畳され、さらに、位置が調整された映像データに対応する蓄積コンテンツが表示されている。
【０２５６】
均等なサイズの分割画面３６１−３には、チャンネル３として、例えば、通信相手のコンテンツの映像データのサイズなどが最適に調整され、チャンネル３の内容（すなわち、通信相手としての「ユーザＢ」のコンテンツであること）をユーザに特定させるための「ユーザＢ」と示されたＯＳＤ映像の映像データが重畳され、さらに、位置が調整された映像データに対応する通信相手のコンテンツが表示されている。
【０２５７】
均等なサイズの分割画面３６１−４には、チャンネル４として、例えば、（ＢＳ）放送コンテンツの映像データのサイズなどが最適に調整され、チャンネル４の内容（すなわち、「ＢＳ」の放送コンテンツであること）をユーザに特定させるための「ＢＳ」と示されたＯＳＤ映像の映像データが重畳され、さらに、位置が調整された映像データに対応する放送コンテンツが表示されている。
【０２５８】
なお、図示および説明は省略するが、チャンネル１，５乃至８としても、それぞれ、「ＡＡ」と示されるＯＳＤ映像、「ＣＣ」と示されるＯＳＤ映像、「ＥＥ」と示されるＯＳＤ映像、「ＤＤ」と示されるＯＳＤ映像、「ＢＢ」と示されるＯＳＤ映像で特定される、他の所定のコンテンツが選択されている。
【０２５９】
以上のように構成される表示画面３５１が表示されているときに、例えば、ユーザの操作により、チャンネル３の要求情報がユーザ情報入力部６１および情報取得部１０１を介して入力される。提示優先度算出部１０２は、図１５のステップＳ１４において、ユーザの要求情報を取得したと判定し、ステップＳ１５において、ユーザおよび通信相手の要求情報、並びにメタデータに基づいて、チャンネル３に対する提示優先度が最大となるようにチャンネル１乃至８の提示優先度を算出し、算出した提示優先度を、提示バランス設定部１０３に供給する。
【０２６０】
提示バランス設定部１０３は、ステップＳ１６において、チャンネル３に対する提示優先度が最大となるように算出されたチャンネル１乃至８の提示優先度に応じて、分割画面３６１−３のサイズが他の分割画面よりも大きくなるように、かつ、提示位置が表示画面３５１の中央になるように、分割画面３６１−１乃至３６１−８のサイズ、提示位置などを制御情報として設定する。
【０２６１】
また、このとき、提示バランス設定部１０３は、図９および図１０を参照して上述したように、均等なサイズの分割画面３６１−３から、他の分割画面より大きくなるように設定された分割画面３６１−３までの遷移中の時間情報と、時間情報に対応した分割画面のサイズ、位置、枠形状なども制御情報として設定し、設定した制御情報を、映像調整部１２１に供給する。
【０２６２】
映像調整部１２１は、提示バランス設定部１０３から制御情報が供給されると、図１７の映像調整出力処理を開始する。なお、図１７においては、チャンネル３の映像データを調整する映像調整部１２１−３の場合を説明する。
【０２６３】
映像調整部１２１−３の透明度調整部１４１には、コミュニケーション部７３から入力されるチャンネル３として、通信相手のコンテンツの映像データが入力されている。
【０２６４】
透明度調整部１４１は、ステップＳ３１において、提示バランス設定部１０３により設定されたチャンネル３の制御情報に応じて、チャンネル３の映像データの透明度を調整する。なお、いまの場合、透明度に関する制御情報は、設定されていないので、そのまま映像データは、サイズ調整部１４２に出力される。
【０２６５】
サイズ調整部１４２は、ステップＳ３２において、チャンネル３の制御情報に応じて、チャンネル３の映像データのサイズなどを調整する。すなわち、サイズ調整部１４２は、映像データの所定の位置を中心として、分割画面３６１−３のサイズの領域を求め、その領域以外にマスクをかけて、映像データのサイズを調整し、調整した映像データを、ＯＳＤ調整部１４３に出力する。
【０２６６】
ＯＳＤ調整部１４３は、ステップＳ３３において、チャンネル３の制御情報に応じて、チャンネル３の通信相手のコンテンツの特定情報である「ユーザＢ」が示されるＯＳＤ映像に対応する映像データを生成し、サイズ調整部１４２からの映像データに付加（重畳）し、重畳された結果の映像データを、位置調整部１４４に出力する。すなわち、ＯＳＤ調整部１４３は、サイズ調整部１４２からの映像データにおける所定の位置を中心として、ＯＳＤ映像情報を、所定の重畳割合で映像データに付加する。なお、この重畳割合は、ＯＳＤ映像情報の透明度を高くするように設定することも可能である。
【０２６７】
位置調整部１４４は、ステップＳ３４において、チャンネル３の制御情報に応じて、チャンネル３の映像データの提示位置を調整し、提示位置を調整した映像データを、映像ミキサ部５６に出力する。すなわち、位置調整部１４４は、分割画面３６１−３の中央の位置に、映像データにおいて中心とされている所定の位置が合わさるように、映像データの提示位置を調整する。
【０２６８】
なお、このとき、図１６の例においては、位置調整部１４４は、さらに、遷移中の時間情報毎に、映像データに対して、時間情報に対応した分割画面のサイズ、位置、枠形状などに応じたマスクをかけて、映像データを調整し、調整した映像データを映像ミキサ部５６に出力する。実際には、この調整処理は、遷移が完了するまでの間実行される。
【０２６９】
上述したステップＳ３１乃至Ｓ３４の処理は、チャンネル１，２，４乃至８の映像データを調整する映像調整部１２１−１，１２１−２，１２１−４乃至１２１−８においても実行される。その結果、各分割画面３６１−１乃至３６１−８のサイズに表示するのに最適に調整された各チャンネル１乃至８の映像データが、映像ミキサ部５６に入力される。
【０２７０】
映像ミキサ部５６は、ステップＳ３５において、各チャンネル１乃至８の映像データを重畳し、重畳した映像データを映像出力部６２に出力し、映像調整出力処理を終了する。
【０２７１】
これにより、映像出力部６２には、遷移が完了するまでの間、表示画面３５２が表示される。
【０２７２】
表示画面３５２には、均等なサイズであった表示画面３５１の分割画面３６１−３のサイズから、他の分割画面よりも大きく設定された、表示画面３５３の分割画面３６１−３のサイズまで、分割画面３６１−３のサイズを大きくする遷移（すなわち、表示画面３５１の分割画面３６１−３の位置から、表示画面３５３の分割画面３６１−３の位置まで分割画面３６１−３が移動する遷移）が表示されている。
【０２７３】
表示画面３５２において、分割画面３６１−３の左枠を含め、分割画面３６１−３の左枠よりも左側に配置される各分割画面の枠は、すべてのチャンネルに対して均等なサイズが設定されていた表示画面３５１における各分割画面の枠の位置から、チャンネル３に対して大きいサイズが設定されている表示画面３５３における各分割画面の枠の位置まで、矢印Ｌ３（図中左）方向に移動している。
【０２７４】
このとき、上述した図９の例と同様に、点線に示されるように、分割画面３６１−３の左枠の下端部は、移動方向である矢印Ｌ３とは逆方向になびくように、その上端部より遅れて移動しており、同様に、分割画面３６１−３の左側において、分割画面３６１−３の左枠とともに矢印Ｌ３方向に移動する分割画面３６１−３の左枠の下端部も、矢印Ｌ３とは逆方向になびくように、その上端部より遅れて移動している。
【０２７５】
また、表示画面３５２において、分割画面３６１−３の右枠を含め、分割画面３６１−３の右枠よりも右側に配置される各分割画面の枠は、表示画面３５１における各分割画面の枠の位置から、表示画面３５３の各分割画面の枠の位置まで、矢印Ｒ３（図中右）方向に移動している。
【０２７６】
このとき、点線に示されるように、分割画面３６１−３の右枠の下端部は、移動方向である矢印Ｒ３とは逆方向になびくように、その上端部より遅れて移動しており、同様に、分割画面３６１−３の右側において分割画面３６１−３の右枠とともに矢印Ｒ３方向に移動する各分割画面の右枠の下端部も、矢印Ｒ３とは逆方向になびくように、その上端部より遅れて移動している。
【０２７７】
以上のように、分割画面のサイズの変化の遷移が表示され、所定の時間の経過後、すなわち、その遷移表示の完了後には、映像出力部６２には、表示画面３５３が表示される。
【０２７８】
表示画面３５３における、チャンネル３に対する提示優先度が最も高くなるように算出された８個のチャンネルの提示優先度に応じてサイズが設定された各分割画面３６１−１乃至３６１−８には、それぞれのサイズの分割画面３６１−１乃至３６１−８に応じて最適に調整された映像データに対応するコンテンツ（画像）が表示されている。
【０２７９】
すなわち、分割画面３６１−２は、表示画面３５１の場合と比較して略同サイズであるが、チャンネル３に対する提示優先度の高さに応じて、表示画面３５３における提示位置が、左寄りに設定されており、分割画面３６１−２には、表示画面３５３において左寄りに設定された提示位置に適するように調整された映像データに対応する蓄積コンテンツが表示される。
【０２８０】
分割画面３６１−３は、チャンネル３に対する提示優先度の高さに応じて、表示画面３５１の場合よりも大きいサイズで、表示画面３５３における提示位置が中央に位置するように設定されており、分割画面３６１−３には、分割画面３６１−３のサイズおよび提示位置に適するように調整された映像データに対応する通信相手のコンテンツが表示される。
【０２８１】
分割画面３６１−４は、チャンネル３に対する提示優先度の高さに応じて、表示画面３５１の場合よりも小さいサイズで、表示画面３５３における提示位置が右寄りに設定されており、分割画面３６１−４には、表示画面３５３のサイズおよび右寄りに設定された提示位置に適するように調整された映像データに対応する放送コンテンツが表示される。
【０２８２】
以上のように、ユーザの要求情報またはコンテンツのメタデータに基づいて、提示優先度を算出し、算出した提示優先度に応じて、表示画面における分割画面のサイズや提示位置を変更して表示するようにしたので、ユーザは、リモートコントローラやタッチパネルなどを操作して、所定のチャンネルの視聴を強く要求するだけで、所望のバランスで複数のコンテンツを視聴することができる。
【０２８３】
また、分割画面のサイズ変更された場合に、分割画面の位置の遷移を、あたかもカーテンがなびくように表示するようにしたので、ユーザに、家庭的な印象や親近感などを提供することができる。
【０２８４】
以上のように、ユーザに、快適な視聴環境を提供することができる。
【０２８５】
次に、図１８のフローチャートを参照して、図１５のステップＳ２０の音声調整出力処理を説明する。
【０２８６】
音声調整部１２２は、提示バランス設定部１０３から制御情報が供給されると、図１８の音声調整出力処理を開始する。なお、図１８においては、チャンネル３の音声データを調整する音声調整部１２２−３の場合を説明する。
【０２８７】
音声調整部１２２−３の音量調整部１５１には、コミュニケーション部７３から入力されるチャンネル３として、通信相手のコンテンツの音声データが入力されている。
【０２８８】
音量調整部１５１は、ステップＳ５１において、提示バランス設定部１０３により設定されたチャンネル３の制御情報に応じて、チャンネル３の音声データの音量を調整し、音量を調整した音声データを、音質調整部１５２に出力する。すなわち、音量調整部１５１は、提示バランス設定部１０３により提示優先度に応じて設定された大きさの音量になるように音量を調整する。
【０２８９】
音質調整部１５２は、ステップＳ５２において、提示バランス設定部１０３により設定されたチャンネル３の制御情報に応じて、音量調整部１５１からの音声データの音質を調整し、音質を調整した音声データを音源位置調整部１５３に出力する。すなわち、音質調整部１５２は、提示バランス設定部１０３により提示優先度に応じて設定された明瞭度になるように音質を調整する。
【０２９０】
音源位置調整部１５３は、ステップＳ５３において、提示バランス設定部１０３により設定されたチャンネル３の制御情報に応じて、音質調整部１５２からの音声データの音源位置を調整し、音源位置を調整した音声データを、音声ミキサ部５７に出力する。すなわち、音源位置調整部１５３は、チャンネル３の音声データを、表示画面における分割画面の位置が音源位置となるように調整する。
【０２９１】
上述したステップＳ５１乃至Ｓ５３の処理は、チャンネル１，２，４乃至８の音声データを調整する音声調整部１２２−１，１２２−２，１２２−４乃至１２２−８においても実行される。その結果、最適に調整された各チャンネル１乃至８の音声データが、音声ミキサ部５７に入力される。
【０２９２】
音声ミキサ部５７は、ステップＳ５４において、各チャンネル１乃至８の音声データを合成し、合成した映像データを音声出力部６３に出力する。
【０２９３】
これにより、音声出力部６３からは、図７および図８を参照して上述したように、表示画面における分割画面の位置から対応するチャンネルの音声が聞こえるように調整された音声が出力される。
【０２９４】
なお、図１８の例においては、チャンネル１乃至８の音声データを、対応する分割画面の位置から聞こえるように調整して合成し、出力する例を説明したが、音声データの調整出力方法は、上述した例に限定されず、例えば、提示優先度の最も高いチャンネルの音声データだけを調整して出力するようにしてもよいし、提示優先度が所定のしきい値よりも大きいチャンネルの音声データだけを調整して出力するようにしてもよい。
【０２９５】
以上のように、映像データだけでなく、音声データも、提示優先度、あるいは、提示優先度に応じてサイズが設定された分割画面の位置に応じて調整することができる。
【０２９６】
これにより、ユーザは、所望のコンテンツの音声を、コンテンツが表示される分割画面の位置から聞くことができる。すなわち、快適な音声環境を提供することができる。
【０２９７】
なお、上述した説明においては、有効表示領域を横に分割した複数の分割画面で構成される表示画面の例を説明したが、画面の分割方法は、横分割に限定されない。
【０２９８】
図１９は、映像出力部６２から出力される表示画面の他の例を示す図である。図１９の例においては、表示画面４０１乃至４０３が示されている。なお、表示画面４０１乃至４０３は、その分割画面の枠の移動する方向が異なるだけであり、したがって、図９および図１０を参照して上述した表示画面２０１と同様の視聴覚的特殊効果などを付加することもできる。
【０２９９】
表示画面４０１は、その有効表示領域を縦Ｎ個に分割した、Ｎ個のチャンネルを表示するための分割画面４１１−１乃至４１１−Ｎで構成されている。分割画面４１１−１乃至４１１−Ｎに表示される映像の右側には、チャンネルの内容（いまの場合、チャンネル番号）を特定するためＯＳＤ映像が含まれている。
【０３００】
例えば、チャンネル３の提示優先度が高くなり、チャンネル３の分割画面４１１−３のサイズが大きく設定されると、矢印Ｕ１および矢印Ｄ１に示されるように、分割画面４１１−３の枠は、上下に広くなり、それに応じて、他の分割画面の枠や位置も上または下に移動する。
【０３０１】
表示画面４０２は、その有効表示領域を右下がりの斜めＮ個に分割した、Ｎ個のチャンネルを表示するための分割画面４２１−１乃至４２１−Ｎで構成されている。分割画面４２１−１乃至４２１−Ｎに表示される映像の中央には、チャンネルの内容（いまの場合、チャンネル番号）を特定するためＯＳＤ映像が含まれている。
【０３０２】
例えば、チャンネル３の提示優先度が高くなり、チャンネル３の分割画面４２１−３のサイズが大きく設定されると、矢印Ｕ２および矢印Ｄ２に示されるように、分割画面４１１−３の枠は、左上と右下方向に広がり、それに応じて、他の分割画面の枠や位置も左上または右下方向に移動する。
【０３０３】
表示画面４０３の場合、映像出力部６２は、例えば、円形のテーブル上に形成されたディスプレイからなり、表示画面４０３は、円形のディスプレイの中心を軸として、その表示領域を扇形にＮ個に分割した、Ｎ個のチャンネルを表示するための分割画面４３１−１乃至４３１−Ｎで構成されている。
【０３０４】
図１９の例においては、ユーザＡにより、表示画面４０３の各分割画面のうち、自分の前に位置する分割画面（図１９の例においては、分割画面４３１−３）に表示されている通信相手の映像を見ながら、通信相手と会話などが行われる。
【０３０５】
分割画面４３１−１乃至４３１−Ｎに表示される映像の中心側には、チャンネルの内容（いまの場合、チャンネル番号）を特定するためＯＳＤ映像が含まれている。
【０３０６】
例えば、チャンネル３の提示優先度が高くなり、チャンネル３の分割画面４３１−３のサイズが大きく設定されると、矢印Ｕ３および矢印Ｄ３に示されるように、分割画面４３１−３の枠は、円周に沿って左右方向に広がり、それに応じて、他の分割画面の枠や位置も円周に沿って左右方向に移動する。
【０３０７】
以上のように、表示画面を横分割以外の方法で分割された分割画面を用いるようにすることにより、例えば、文字が横に並ぶコンテンツのように、コンテンツの映像を横分割した分割画面に表示する場合よりも縦分割した分割画面に表示する場合の方が、表示されている内容がわかりやすいコンテンツを表示するときに、ユーザに対して、視認性の高い表示画面を提供することができるというように、さまざまなコンテンツの表示に対応することが可能になる。
【０３０８】
また、上記説明においては、映像出力部６２に２次元の表示画面が表示される例を説明したが、図２０に示されるように、映像出力部６２を、全方位の映像を表示する全方位型映像出力装置４４１や半球型映像出力装置４４２で構成するようにしてもよい。
【０３０９】
図２０は、映像出力部６２の他の構成例を示す図である。図２０の例においては、例えば、全方位の映像を、全方位に渡るスクリーン４５１に出力させる全方位型映像出力装置４４１と、半球型に形成されるスクリーン４５２に映像を出力する半球型映像出力装置４４２が示されている。
【０３１０】
全方位型映像出力装置４４１は、例えば、円柱の内面一周に渡って形成されたスクリーン４５１に、全方位カメラなどで撮像されたり、あるいは、仮想的に作成された全方位の映像を表示させて、円柱の内の中心に位置するユーザＡの周囲を映像で覆うことにより、ユーザＡに高い臨場感（没入感）を提供するものである。
【０３１１】
このスクリーン４５１を、その有効表示領域を円周に沿ってＮ分割した分割画面４６１−１乃至４６１−Ｎで構成し、上述した２次元の表示画面の例と同様に、その分割画面４６１−１乃至４６１−Ｎにそれぞれ各チャンネルのコンテンツを表示させるようにすることも可能である。
【０３１２】
なお、図２０の例においては、円柱内に形成される全方位型映像出力装置４４１が示されているが、球面内に形成されるように構成してもよい。
【０３１３】
半球型映像出力装置４４２は、球を半分に割った形である半球状の内面に形成されたスクリーン４５２に、映像を表示させるものであり、全方位型映像出力装置４４１と同様に、その半球の中心から映像を視聴するユーザＡに、スクリーン４５２に表示される映像で覆われるような高い臨場感（没入感）を提供することができるものである。
【０３１４】
このスクリーン４５２を、その有効表示領域をＮ（いまの場合、４）分割した分割画面４７１−１乃至４７１−４で構成し、上述した２次元の表示画面の例と同様に、その分割画面４７１−１乃至４７１−４にそれぞれ各チャンネルのコンテンツを表示させるようにすることも可能である。
【０３１５】
すなわち、本発明は、２次元の表示画面だけでなく、全方位型映像出力装置４４１や半球型映像出力装置４４２などにも適用することができる。
【０３１６】
したがって、全方位型映像出力装置４４１や半球型映像出力装置４４２においても、快適なコンテンツの視聴が提供される。
【０３１７】
以上のように、複数のチャンネルのコンテンツを提示する場合に、各チャンネルに対する提示優先度に応じて、そのチャンネルを表示する分割画面の表示サイズ（すなわち、表示面積）を変更して表示させるようにしたので、ユーザに対して、ユーザの目的に応じた見やすい表示画面を提供することができる。
【０３１８】
なお、上記説明においては、放送コンテンツ、配信コンテンツ、蓄積コンテンツ、および通信相手のコンテンツなどさまざまな種類のコンテンツを取得可能なコンテンツ提示制御装置３１を用いて、さまざまな種類のコンテンツの中から、複数のコンテンツを提示させる例を説明したが、コンテンツの種類は、これらに限定されず、また、これらの複数種類のコンテンツが必ずしもすべて取得可能でなくてもよい。
【０３１９】
したがって、本発明は、ネットワークへの通信機能を有せず、放送信号を受信する機能を有する装置や、録画機能および放送信号受信機能付きの装置、または、通信相手とネットワークを介してお互いのコンテンツを送受信する通信機能を有する装置などにも適用される。
【０３２０】
すなわち、放送信号を受信する映像受信機能を有する装置の場合には、複数の放送コンテンツ（テレビジョン放送番組）を、ユーザの要求度合いやメタデータなどに応じて最適に表示させることができる。また、例えば、録画機能および放送信号受信機能付きの装置の場合には、複数の放送コンテンツだけでなく、さらに録画されたコンテンツも、ユーザの要求度合いやメタデータなどに応じて最適に表示させることができる。
【０３２１】
さらに、通信相手とネットワークを介してお互いのコンテンツを送受信する通信機能を有する装置の場合には、複数の通信相手のコンテンツを、ユーザの要求度合いに応じて最適に表示させることができる。
【０３２２】
以上のように、本発明は、コンテンツを提示することが可能な、テレビジョン受像機、パーソナルコンピュータ、携帯電話機、その他のＰＤＡ機器や、ＡＶ機器や家庭用電化製品などのＣＥ機器に適用することができる。
【０３２３】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０３２４】
図２１は、上述した一連の処理をプログラムにより実行するパーソナルコンピュータ５０１の構成の例を示すブロック図である。CPU（Central Processing Unit）５１１は、ROM（Read Only Memory）５１２、または記憶部５１８に記憶されているプログラムに従って各種の処理を実行する。RAM（Random Access Memory）５１３には、CPU５１１が実行するプログラムやデータなどが適宜記憶される。これらのCPU５１１、ROM５１２、およびRAM５１３は、バス５１４により相互に接続されている。
【０３２５】
CPU５１１にはまた、バス５１４を介して入出力インタフェース５１５が接続されている。入出力インタフェース５１５には、キーボード、マウス、マイクロフォンなどよりなる入力部５１６、ディスプレイ、スピーカなどよりなる出力部５１７が接続されている。CPU５１１は、入力部５１６から入力される指令に対応して各種の処理を実行する。そして、CPU５１１は、処理の結果を出力部５１７に出力する。
【０３２６】
入出力インタフェース５１５に接続されている記憶部５１８は、例えばハードディスクからなり、CPU５１１が実行するプログラムや各種のデータを記憶する。通信部５１９は、インターネットやローカルエリアネットワークなどのネットワークを介して外部の装置と通信する。
【０３２７】
また、通信部５１９を介してプログラムを取得し、記憶部５１８に記憶してもよい。
【０３２８】
入出力インタフェース５１５に接続されているドライブ５２０は、磁気ディスク、光ディスク、光磁気ディスク、或いは半導体メモリなどのリムーバブルメディア５２１が装着されたとき、それらを駆動し、そこに記録されているプログラムやデータなどを取得する。取得されたプログラムやデータは、必要に応じて記憶部５１８に転送され、記憶される。
【０３２９】
なお、このプログラムは、全体として上述した一連の処理を実行できれば、その形態は特に限定されない。例えば、上述した各ブロックのそれぞれに対応するモジュールのそれぞれからなるモジュール構成とされてもよいし、幾つかのブロックの機能の一部または全部が組み合わされたモジュール、若しくは、ブロックの機能が分割されたモジュールからなるモジュール構成とされてもよい。或いは、単に１つのアルゴリズムを有するプログラムでもよい。
【０３３０】
コンピュータにインストールされ、コンピュータによって実行可能な状態とされるプログラムを格納するプログラム記録媒体は、図２１に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア５２１、または、プログラムが一時的もしくは永続的に格納されるROM５１２や、記憶部５１８を構成するハードディスクなどにより構成される。プログラム記録媒体へのプログラムの格納は、必要に応じてルータ、モデムなどのインタフェースである通信部５１９を介して、ローカルエリアネットワーク、インターネット、デジタル衛星放送といった、有線または無線の通信媒体を利用して行われる。
【０３３１】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０３３２】
また、プログラムは、１のコンピュータにより処理されるものであっても良いし、複数のコンピュータによって分散処理されるものであってもよい。さらに、プログラムは、遠方のコンピュータに転送されて実行されるものであってもよい。
【０３３３】
なお、本明細書において、システムとは、複数の装置により構成される装置全体を表すものである。
【０３３４】
図２２乃至図３３は、本発明の一実施の形態の表示画面を表示するモニターテレビ受像機の例を示す図である。すなわち、モニターテレビ受像機は、図３の映像表示部６２の一構成例であり、例えば、ＬＣＤやＰＤＰなどのフラットディスプレイを用いて構成される。
【０３３５】
図２２は、正面図である。図２２においては、通電状態の表示画面が示されている。図２３は、背面図である。図２４は、平面図である。底面図は、平面図と同一なので省略する。図２５は、右側面図である。左側面図は、右側面図と同一なので省略する。
【０３３６】
図２６は、変化中の状態を示す第１正面図である。図２７は、変化した状態を示す第２正面図である。図２８は、変化中の状態を示す第３正面図である。図２９は、変化した状態を示す第４正面図である。図３０は、変化中の状態を示す第５正面図である。
【０３３７】
すなわち、正面図に表されるように、通常の表示状態においては、複数の分割画面が均等に表示されている。複数の分割画面には、複数のコンテンツの映像が表示され、各分割画面の下部には、ユーザに対して、複数のコンテンツの内容を特定させるための特定情報（例えば、チャンネル番号、コンテンツ名など）が表示される。
【０３３８】
通常の表示状態において、ユーザにより左から３番目の分割画面が選択された場合には、第１および第２正面図に表されるように、ユーザの選択に応じて、変化中の状態を遷移して、変化した状態へと画面表示が変化する。また、第２正面図の変化した状態において、ユーザにより一番右の分割画面が選択された場合には、第３および第４正面図に表されるように、ユーザの選択に応じて、変化中の状態を遷移して、変化した状態へと画面表示が変化する。
【０３３９】
さらに、第４正面図の変化した状態において、ユーザにより均等表示が指示された場合には、第５正面図および正面図に表されるように、ユーザの選択に応じて、変化中の状態を遷移して、変化した状態へと画面表示が変化する。
【０３４０】
図３１は、表示例を示す第１参照図である。図３２は、変化中の状態の表示例を示す第２参照図である。図３３は、変化した状態の表示例を示す第３参照図である。
【０３４１】
すなわち、第１参照図に表されるように、表示画面は、Ｎ個の分割画面で隙間なく構成されており、各分割画面には、それぞれ異なるコンテンツの映像が表示されている。また、コンテンツの映像の下には、ユーザに対して、それぞれ対応するコンテンツを特定させるためのチャンネル番号が表示されている。
【０３４２】
第１参照図の状態において、ユーザにより左から３番目の分割画面が選択された場合、表示画面は、第２参照図の状態を遷移して、第３参照図の状態に変化する。すなわち、第２参照図に表されるように、左から３番目の分割画面の左枠が左方向に移動し、右枠が右方向に移動する際に、左枠および右枠の下端部は、移動方向とは反対方向になびくように、それぞれ、点線で示されるように、左枠および右枠の上端部の移動より遅れて移動し、最終的に、第３参照図に表されるように、左から３番目の分割画面の領域が広くなるように変化する。
【０３４３】
また、このとき、第２参照図に表されるように、左から３番目の分割画面の変化に応じて、左から３番目以外の分割画面の枠も移動し、枠が移動する際に、枠の下端部は、移動方向とは反対方向になびくように、それぞれ、点線で示されるように、枠の上端部の移動より遅れて移動し、最終的に、第３参照図に表されるように、左から３番目の分割画面の領域の変化に応じて、左から３番目以外の分割画面の領域も変化する。
【０３４４】
なお、上記説明においては、モニターテレビ受像機を用いて説明したが、コンテンツの映像を複数表示させるものであれば、パーソナルコンピュータや携帯型端末などが有するモニターにも適用される。
【図面の簡単な説明】
【０３４５】
【図１】従来の複数画面分割表示の例を示す図である。
【図２】従来の複数画面分割表示の他の例を示す図である。
【図３】本発明の情報処理システムの構成例を示す図である。
【図４】図３の提示バランス制御部の構成例を示すブロック図である。
【図５】図３の提示バランス調整部の構成例を示すブロック図である。
【図６】図５の映像調整部および音声調整部の構成例を示すブロック図である。
【図７】表示画面の表示例を示す図である。
【図８】図７の表示画面の他の表示例を示す図である。
【図９】表示画面の表示状態の遷移を表す視聴覚的特殊効果を説明する図である。
【図１０】表示画面の表示状態の遷移を表す視聴覚的特殊効果を説明する図である。
【図１１】映像データおよび音声データの調整方法を説明する図である。
【図１２】調整後の映像データに対応する映像が表示される表示画面の例を示す図である。
【図１３】調整後の映像データに対応する映像が表示される表示画面の他の例を示す図である。
【図１４】映像データの調整方法と、調整後の映像データが表示される表示画面のさらに他の例を説明する図である。
【図１５】図３のコンテンツ提示制御装置のコンテンツ提示制御処理を説明するフローチャートである。
【図１６】図５の映像調整部の映像調整出力処理を説明する図である。
【図１７】図１５のステップＳ１９の映像調整出力処理を説明するフローチャートである。
【図１８】図１５のステップ２０の音声調整出力処理を説明するフローチャートである。
【図１９】表示画面の他の表示例を示す図である。
【図２０】図３の映像出力部の他の構成例を示す図である。
【図２１】本発明を適用するパーソナルコンピュータの構成例を示すブロック図である。
【図２２】本発明の表示画面を表示するモニターテレビ受像機の正面図である。
【図２３】背面図である。
【図２４】平面図である。
【図２５】右側面図である。
【図２６】変化中の状態を示す第１正面図である。
【図２７】変化した状態を示す第２正面図である。
【図２８】変化中の状態を示す第３正面図である。
【図２９】変化した状態を示す第４正面図である。
【図３０】変化中の状態を示す第５正面図である
【図３１】表示例を示す第１参照図である。
【図３２】変化中の状態の表示例を示す第２参照図である。
【図３３】変化した状態の表示例を示す第３参照図である。
【符号の説明】
【０３４６】
３１−１，３１−２  コンテンツ提示制御装置，３２  ネットワーク，３３  配信サーバ，３４  地上波放送局，３５  ＢＳデジタル放送衛星，５１  チューナ，５３  チャンネルデータ供給部，５４  提示バランス制御部，５５  提示バランス調整部，５６  映像ミキサ部，５７  音声ミキサ部，５８  入出力インタフェース，６１  ユーザ情報入力部，６２  映像出力部，６３  音声出力部，６４  映像音声入力部，７１  コンテンツ取得部，７２  コンテンツ記憶部，７３  コミュニケーション部，１０１  情報取得部，１０２  提示優先度算出部，１０３  提示バランス設定部，１２１，１２１−１乃至１２１−Ｎ  映像調整部，１２２，１２２−１乃至１２２−Ｎ  音声調整部，１４１  透明度調整部，１４２  サイズ調整部，１４３  ＯＳＤ調整部，１４４  位置調整部，１５１  音量調整部，１５２  音質調整部，１５３  音源位置調整部
【図１】
0004720321.tif 000002
【図２】
0004720321.tif 000003
【図３】
0004720321.tif 000004
【図４】
0004720321.tif 000005
【図５】
0004720321.tif 000006
【図６】
0004720321.tif 000007
【図７】
0004720321.tif 000008
【図８】
0004720321.tif 000009
【図９】
0004720321.tif 000010
【図１０】
0004720321.tif 000011
【図１１】
0004720321.tif 000012
【図１２】
0004720321.tif 000013
【図１３】
0004720321.tif 000014
【図１４】
0004720321.tif 000015
【図１５】
0004720321.tif 000016
【図１６】
0004720321.tif 000017
【図１７】
0004720321.tif 000018
【図１８】
0004720321.tif 000019
【図１９】
0004720321.tif 000020
【図２０】
0004720321.tif 000021
【図２１】
0004720321.tif 000022
【図２２】
0004720321.tif 000023
【図２３】
0004720321.tif 000024
【図２４】
0004720321.tif 000025
【図２５】
0004720321.tif 000026
【図２６】
0004720321.tif 000027
【図２７】
0004720321.tif 000028
【図２８】
0004720321.tif 000029
【図２９】
0004720321.tif 000030
【図３０】
0004720321.tif 000031
【図３１】
0004720321.tif 000032
【図３２】
0004720321.tif 000033
【図３３】
0004720321.tif 000034